(57)【要約】      （修正有）【課題】測定に使用される参照信号並びに対応する測定及びフィードバックのオーバーヘッドが減少するリソース設定方法、ユーザ機器、及び基地局を提供する。【解決手段】基地局によって、時間単位セットを指示する無線リソース制御（ＲＲＣ）シグナリングをユーザ機器（ＵＥ）に送信し、前記時間単位セット内のＮ個の時間単位においてそれぞれが１つのプリコーディング行列情報に対応するＭ個の参照信号をＵＥに送信する。ＵＥは、前記参照信号に従って判定してチャネル品質を測定し、チャネル品質指示情報を基地局に報告する。基地局はＵＥからチャネル品質指示情報を受信し、チャネル品質指示情報に従ってＵＥに対する参照信号リソースを選択し、参照信号を送信する。【選択図】図１
2019033496.tif 000002
【特許請求の範囲】
【請求項１】
基地局によって、時間単位セット内のＮ個の時間単位においてユーザ機器ＵＥに対してＭ個のチャネル品質測定処理を設定するステップであって、各チャネル品質測定処理が１つの参照信号設定情報に対応し、前記参照信号設定情報が前記ＵＥによって、設定された参照信号に基づいてチャネル品質測定を実行するために使用され、前記Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、設定するステップを備える、リソース設定方法。
【請求項２】
前記Ｌ個のタイプのチャネル品質測定処理の中の各タイプのチャネル品質測定処理が、１つのチャネル品質測定結果に対応し、各タイプのチャネル品質測定処理に対応する前記チャネル品質測定結果が、前記ＵＥ又は前記基地局により、前記タイプに属するとともに前記Ｍ個のチャネル品質測定処理の中にある全てのチャネル品質測定処理におけるチャネル品質測定結果に基づいて取得される、請求項１に記載の方法。
【請求項３】
前記チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む、請求項２に記載の方法。
【請求項４】
前記Ｍ個のチャネル品質測定処理の中の各チャネル品質測定処理が識別フィールドを含み、前記識別フィールドが、前記チャネル品質測定処理が属するタイプを示すために使用されるチャネル品質測定処理識別情報を含み、同一のタイプのチャネル品質測定処理における識別情報が同一である、請求項１に記載の方法。
【請求項５】
前記Ｍ個のチャネル品質測定処理が、前記基地局により前記ＵＥに上位層シグナリング又は制御チャネルを用いて通知され、前記時間単位セットが、前記基地局により前記ＵＥに上位層シグナリング又は制御チャネルを用いて通知される、請求項１に記載の方法。
【請求項６】
ユーザ機器ＵＥによって、時間単位セット内のＮ個の時間単位において基地局により設定されたＭ個のチャネル品質測定処理を受信するステップであって、各チャネル品質測定処理が１つの参照信号設定情報に対応し、前記Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信するステップと、
前記ＵＥによって、前記Ｍ個の設定されたチャネル品質測定処理と、各チャネル品質測定処理に対応する参照信号とに基づいてチャネル品質測定を実行するステップとを備える、チャネル品質測定方法。
【請求項７】
前記Ｌ個のタイプのチャネル品質測定処理の中の各タイプのチャネル品質測定処理が、１つのチャネル品質測定結果に対応し、各タイプのチャネル品質測定処理に対応する前記チャネル品質測定結果が、前記ＵＥ又は前記基地局により、前記タイプに属するとともに前記Ｍ個のチャネル品質測定処理の中にある全てのチャネル品質測定処理におけるチャネル品質測定結果に基づいて取得される、請求項６に記載の方法。
【請求項８】
前記チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む、請求項７に記載の方法。
【請求項９】
前記Ｍ個のチャネル品質測定処理の中の各チャネル品質測定処理が識別フィールドを含み、前記識別フィールドが、前記チャネル品質測定処理が属するタイプを示すために使用されるチャネル品質測定処理識別情報を含み、同一のタイプのチャネル品質測定処理における識別情報が同一である、請求項６に記載の方法。
【請求項１０】
前記時間単位セットが、前記基地局により前記ＵＥに上位層シグナリング又は制御チャネルを用いて通知される、請求項６に記載の方法。
【請求項１１】
時間単位セット内のＮ個の時間単位においてユーザ機器ＵＥに対してＭ個のチャネル品質測定処理を設定するように構成されるプロセッサであって、各チャネル品質測定処理が１つの参照信号設定情報に対応し、前記参照信号設定情報が前記ＵＥによって、設定された参照信号に基づいてチャネル品質測定を実行するために使用され、前記Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、プロセッサを備える、基地局。
【請求項１２】
前記Ｌ個のタイプのチャネル品質測定処理の中の各タイプのチャネル品質測定処理が、１つのチャネル品質測定結果に対応し、各タイプのチャネル品質測定処理に対応する前記チャネル品質測定結果が、前記ＵＥ又は当該基地局により、前記タイプに属するとともに前記Ｍ個のチャネル品質測定処理の中にある全てのチャネル品質測定処理におけるチャネル品質測定結果に基づいて取得される、請求項１１に記載の基地局。
【請求項１３】
前記チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む、請求項１２に記載の基地局。
【請求項１４】
前記Ｍ個のチャネル品質測定処理の中の各チャネル品質測定処理が識別フィールドを含み、前記識別フィールドが、前記チャネル品質測定処理が属するタイプを示すために使用されるチャネル品質測定処理識別情報を含み、同一のタイプのチャネル品質測定処理における識別情報が同一である、請求項１１に記載の基地局。
【請求項１５】
前記時間単位セットが、当該基地局により前記ＵＥに上位層シグナリング又は制御チャネルを用いて通知される、請求項１１に記載の基地局。
【請求項１６】
時間単位セット内のＮ個の時間単位において基地局により設定されたＭ個のチャネル品質測定処理を受信するように構成される受信機であって、各チャネル品質測定処理が１つの参照信号設定情報に対応し、前記Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信機と、
前記受信機により受信された前記Ｍ個の設定されたチャネル品質測定処理と、各チャネル品質測定処理に対応する参照信号とに基づいてチャネル品質測定を実行するように構成されるプロセッサとを備える、ユーザ機器。
【請求項１７】
前記Ｌ個のタイプのチャネル品質測定処理の中の各タイプのチャネル品質測定処理が、１つのチャネル品質測定結果に対応し、各タイプのチャネル品質測定処理に対応する前記チャネル品質測定結果が、当該ユーザ機器又は前記基地局により、前記タイプに属するとともに前記Ｍ個のチャネル品質測定処理の中にある全てのチャネル品質測定処理におけるチャネル品質測定結果に基づいて取得される、請求項１６に記載のユーザ機器。
【請求項１８】
前記チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む、請求項１７に記載のユーザ機器。
【請求項１９】
前記Ｍ個のチャネル品質測定処理の中の各チャネル品質測定処理が識別フィールドを含み、前記識別フィールドが、前記チャネル品質測定処理が属するタイプを示すために使用されるチャネル品質測定処理識別情報を含み、同一のタイプのチャネル品質測定処理における識別情報が同一である、請求項１６に記載のユーザ機器。
【請求項２０】
前記時間単位セットが、前記基地局により当該ユーザ機器に上位層シグナリング又は制御チャネルを用いて通知される、請求項１６に記載のユーザ機器。
【発明の詳細な説明】
【技術分野】
【０００１】
本発明は通信分野に関し、より詳細にはリソース設定方法、ユーザ機器、及び基地局に関する。
【背景技術】
【０００２】
ワイヤレスユーザの数及びワイヤレスデータトラフィックが急激に増加するにつれて、ユーザは、ワイヤレスネットワークの容量及びシームレスなカバレッジに対してより高い要求を課している。ユーザの要求を満たすために、アクティブアンテナシステム（Ａｃｔｉｖｅ  Ａｎｔｅｎｎａ  Ｓｙｓｔｅｍｓ，略してＡＡＳ）のアンテナ形態が、通信産業に広く利用されている。
【０００３】
ＡＡＳ内の各列のアンテナ素子は、複数の電力増幅器に接続することができる。したがって、複数のアンテナポートを、水平次元及び垂直次元に別々に形成することができる。加えて、基地局が垂直方向においてユーザにより良好な信号カバレッジを柔軟に提供できることを保証するために、従来技術では、ダウンチルト及びビーム形状を垂直方向に自動的に柔軟に調整することが可能なドライブネットワークが提供されている（ドライブネットワークの主な機能は、垂直方向のアンテナ素子をアンテナポートにマッピングすることによって、異なるアンテナポートを用いて異なるシナリオのユーザにサービスを提供することである）。ドライブネットワークの構造は、
【数１】
2019033496.tif 000003
であり、ここでＱはｐ×ｋブロック行列を含む行列であり、ｐは一列中の垂直方向のアンテナポートの数であり、ｋは任意選択のドライブネットワーク加重候補の数を示す。Ａｉは行列Ｑ内のブロック行列であり、ブロック行列がｚ個（ｚ≧１）のアンテナ素子を１つのアンテナポートにマッピングするために使用される重みベクトルであることを示し、αｉは第２のアンテナポート上の複素数値重み係数である。このようにして、ドライブネットワークＱ内の異なる列を選択することによって、異なるシナリオのユーザに対して、適応的な参照信号を設定することができる。
【０００４】
たとえば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ，略して３ＧＰＰ）における３次元アーバンマイクロ（３  Ｄｉｍｅｎｓｉｏｎ  Ｕｒｂａｎ  Ｍｉｃｒｏ，略して３ＤＵＭｉ）シナリオが、一例として使用される。このシナリオでは、基地局が１０メートルの高さを有し、建物が８階を有し、各階が３メートルの高さである場合、建物全体の全てのユーザに十分に良好な信号カバレッジを提供できることを保証するために、基地局は、基地局の高さよりも高さが低い１階から４階までのユーザに１２度のダウンチルトビームを割り当て、基地局の高さよりも高さが高い５階から８階までのユーザに−６度のダウンチルトビーム（基地局から上方に投射されるダウンチルトビーム）を割り当てることができる。したがって、このシナリオでのドライブネットワークは、
【数２】
2019033496.tif 000004
として設計されることができ、ここでＡ１は１２度を指すダウンチルトビームベクトルであり、Ａ２は−６度を指すダウンチルトビームベクトルである。ドライブネットワークＱ’は６つの異なるビームを含む（各ビームは１つの方向及び１つの幅に対応する）。ドライブネットワークＱ’内の６つの異なるビームに基づいて、基地局は、異なるシナリオのユーザに、異なるビームに基づく参照信号に対応する参照信号を割り当てることができる。
【０００５】
しかしながら、ユーザ機器（Ｕｓｅｒ  Ｅｑｕｉｐｍｅｎｔ，略してＵＥ）に対して参照信号を設定する場合に、基地局がドライブネットワーク内の全ての可能な設定の組み合わせに対応する測定参照信号をＵＥに送信して、ＵＥに対応するチャネル品質情報をフィードバックさせることによって、基地局がフィードバックされたチャネル品質情報に応じて可能な組み合わせから最適なドライブネットワーク設定（すなわち、最適な参照信号）及びその設定に対応する測定参照信号を選択するようにする必要があることを本発明者は見出している。具体的には、Ｑ’が一例として使用される。最大で６つのアンテナポートがＱ’において形成され得る。２つのアンテナポートが形成される必要がある場合、最大で
【数３】
2019033496.tif 000005
個の可能なドライブネットワーク設定の組み合わせの中で２つのアンテナポートが形成され、各設定の組み合わせは１つの送信及び測定対象の参照信号に対応する。したがって、多数の組み合わせ方式が存在する場合、参照信号並びに対応する測定及びフィードバックのオーバーヘッドが増加する。
【発明の概要】
【０００６】
本発明の実施形態は、リソース設定方法、ユーザ機器、及び基地局を提供し、測定に使用される参照信号並びに対応する測定及びフィードバックのオーバーヘッドを減少させることができる。
【０００７】
上記目的を達成するために、下記の技術的解決方法が、本発明の実施形態で使用される。
【０００８】
第１の態様によれば、
基地局によって、時間単位セット内のＮ個の時間単位においてユーザ機器ＵＥにＭ個の参照信号を送信するステップであって、参照信号がＵＥによってチャネル品質測定を実行するために使用され、Ｍ個の参照信号の中の各参照信号が１つのプリコーディング行列情報に対応する、送信するステップと、
ＵＥにより送信されたチャネル品質指示情報を受信するステップであって、チャネル品質指示情報がＵＥによってＭ個の参照信号に従って判定される、受信するステップと、
チャネル品質指示情報に従ってＵＥに対する最適な参照信号リソースを選択するステップと、
最適な参照信号リソースに従ってＵＥに最適な参照信号を送信するステップとを含む、リソース設定方法が提供される。
【０００９】
第１の態様の第１の可能な実装方式では、基地局によって、時間単位セット内のＮ個の時間単位においてユーザ機器ＵＥにＭ個の参照信号を送信するステップの前に、方法は、
基地局によって、時間単位セット内のＮ個の時間単位においてＵＥにＭ個の参照信号のリソース設定情報を送信するステップであって、参照信号のリソース設定情報が、参照信号のポート情報、参照信号の番号情報、又は参照信号に対応するプリコーディング情報のうちの少なくとも１つを含む、送信するステップをさらに含む。
【００１０】
第１の態様の第２の可能な実装方式では、チャネル品質指示情報が、Ｍ個のチャネル品質測定結果、最適なチャネル品質測定結果、又は参照信号番号を含む。
【００１１】
第１の態様の第３の可能な実装方式では、時間単位セットが、基地局によりＵＥに上位層シグナリング又は制御チャネルを用いて通知される。
【００１２】
第１の態様の第４の可能な実装方式では、参照信号が、セル固有参照信号又はユーザ固有参照信号を含む。
【００１３】
第１の態様の第１の可能な実装方式に関連して、第１の態様の第５の可能な実装方式では、参照信号がセル固有参照信号である場合、基地局が、ブロードキャストチャネルを用いて参照信号のリソース設定情報を指示する。
【００１４】
第１の態様又は第１の態様の第１から第５の可能な実装方式のいずれか１つに関連して、第１の態様の第６の可能な実装方式では、時間単位セットが、基地局によりＵＥに周期的又は非周期的に通知される。
【００１５】
第１の態様の第７の可能な実装方式では、最適な参照信号リソースに従ってＵＥに最適な参照信号を送信するステップが、具体的には、
基地局によって、時間単位セットの後であって次の時間単位セットが設定される前である各時間単位において、最適な参照信号リソースに従ってＵＥに最適な参照信号を送信するステップを含む。
【００１６】
第２の態様によれば、
ユーザ機器ＵＥによって、時間単位セット内のＮ個の時間単位において基地局により送信されたＭ個の参照信号を受信するステップであって、Ｍ個の参照信号の中の各参照信号が１つのプリコーディング行列情報に対応する、受信するステップと、
Ｍ個の参照信号に基づいて基地局にチャネル品質指示情報を報告して、基地局がチャネル品質指示情報に従ってＵＥに対する最適な参照信号リソースを選択するようにするステップと、
基地局により最適な参照信号リソースに従って送信された最適な参照信号を受信するステップとを含む、チャネル品質測定方法が提供される。
【００１７】
第２の態様の第１の可能な実装方式では、ユーザ機器ＵＥによって、時間単位セット内のＮ個の時間単位において基地局により送信されたＭ個の参照信号を受信するステップの前に、方法は、
ＵＥによって、時間単位セット内のＮ個の時間単位において基地局により送信されたＭ個の参照信号のリソース設定情報を受信するステップであって、参照信号のリソース設定情報が、参照信号のポート情報、参照信号の番号情報、又は参照信号に対応するプリコーディング情報のうちの少なくとも１つを含む、受信するステップをさらに含む。
【００１８】
第２の態様の第２の可能な実装方式では、チャネル品質指示情報が、Ｍ個のチャネル品質測定結果、最適なチャネル品質測定結果、又は参照信号番号を含む。
【００１９】
第２の態様の第３の可能な実装方式では、時間単位セットが、基地局によりＵＥに上位層シグナリング又は制御チャネルを用いて通知される。
【００２０】
第２の態様の第４の可能な実装方式では、参照信号が、セル固有参照信号又はユーザ固有参照信号を含む。
【００２１】
第２の態様の第１の可能な実装方式に関連して、第２の態様の第５の可能な実装方式では、参照信号がセル固有参照信号である場合、方法は、
ＵＥによって、ブロードキャストチャネルを検出して、参照信号のリソース設定情報を取得するステップをさらに含む。
【００２２】
第２の態様又は第２の態様の第１から第５の可能な実装方式のいずれか１つに関連して、第２の態様の第６の可能な実装方式では、時間単位セットが、基地局によりＵＥに周期的又は非周期的に通知される。
【００２３】
第２の態様の第７の可能な実装方式では、ＵＥによって、基地局により最適な参照信号リソースに従って送信された最適な参照信号を受信するステップが、具体的には、
ＵＥによって、時間単位セットの後であって次の時間単位セットが設定される前である各時間単位において、基地局により最適な参照信号リソースに従って送信された最適な参照信号を受信するステップを含む。
【００２４】
第３の態様によれば、
基地局によって、時間単位セット内のＮ個の時間単位においてユーザ機器ＵＥに対してＭ個のチャネル品質測定処理を設定するステップであって、各チャネル品質測定処理が１つの参照信号設定情報に対応し、参照信号設定情報がＵＥによって、設定された参照信号に基づいてチャネル品質測定を実行するために使用され、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、設定するステップを含む、リソース設定方法が提供される。
【００２５】
第３の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００２６】
第３の態様又は第３の態様の第１の可能な実装方式に関連して、第３の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００２７】
第３の態様の第２の可能な実装方式に関連して、第３の態様の第３の可能な実装方式では、基地局によって、時間単位セット内のＮ個の時間単位においてユーザ機器ＵＥに対してＭ個のチャネル品質測定処理を設定するステップの後に、方法は、
基地局によって、Ｌ個のタイプのチャネル品質測定処理に対応するチャネル品質測定結果に従って最適なタイプのチャネル品質測定処理を選択するステップと、
基地局によって、そのタイプのチャネル品質測定処理に対応する参照信号設定情報に従ってＵＥに参照信号を送信するステップとをさらに含む。
【００２８】
第３の態様の第２の可能な実装方式又は第３の可能な実装方式に関連して、第３の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【００２９】
第３の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【００３０】
第３の態様の第６の可能な実装方式では、時間単位セットが、基地局によりＵＥに上位層シグナリング又は制御チャネルを用いて通知される。
【００３１】
第３の態様又は第３の態様の第１から第６の可能な実装方式のいずれか１つに関連して、第３の態様の第７の可能な実装方式では、時間単位セットが、基地局によりＵＥに周期的又は非周期的に通知される。
【００３２】
第４の態様によれば、
ユーザ機器ＵＥによって、時間単位セット内のＮ個の時間単位において基地局により設定されたＭ個のチャネル品質測定処理を受信するステップであって、各チャネル品質測定処理が１つの参照信号設定情報に対応し、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信するステップと、
ＵＥによって、Ｍ個の設定されたチャネル品質測定処理と、各チャネル品質測定処理に対応する参照信号とに基づいてチャネル品質測定を実行するステップとを含む、チャネル品質測定方法が提供される。
【００３３】
第４の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００３４】
第４の態様又は第４の態様の第１の可能な実装方式に関連して、第４の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００３５】
第４の態様の第２の可能な実装方式に関連して、第４の態様の第３の可能な実装方式では、ＵＥによって、Ｍ個の設定されたチャネル品質測定処理と、各チャネル品質測定処理に対応する参照信号とに基づいてチャネル品質測定を実行するステップの後に、方法は、
ＵＥによって、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するようにするステップと、
ＵＥによって、選択された最適なタイプのチャネル品質測定処理に対応する参照信号設定情報に従って基地局により送信された参照信号を受信するステップとをさらに含む。
【００３６】
第４の態様の第２の可能な実装方式又は第３の可能な実装方式に関連して、第４の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【００３７】
第４の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【００３８】
第４の態様の第６の可能な実装方式では、時間単位セットが、基地局によりＵＥに上位層シグナリング又は制御チャネルを用いて通知される。
【００３９】
第４の態様又は第４の態様の第１から第６の可能な実装方式のいずれか１つに関連して、第４の態様の第７の可能な実装方式では、時間単位セットが、基地局によりＵＥに周期的又は非周期的に通知される。
【００４０】
第５の態様によれば、
時間単位セット内のＮ個の時間単位においてユーザ機器ＵＥにＭ個の参照信号を送信するように構成される送信ユニットであって、参照信号がＵＥによってチャネル品質測定を実行するために使用され、Ｍ個の参照信号の中の各参照信号が１つのプリコーディング行列情報に対応する、送信ユニットと、
ＵＥにより送信されたチャネル品質指示情報を受信するように構成される受信ユニットであって、チャネル品質指示情報がＵＥによってＭ個の参照信号に従って判定される、受信ユニットと、
チャネル品質指示情報に従ってＵＥに対する最適な参照信号リソースを選択するように構成される選択ユニットとを含み、
送信ユニットが、最適な参照信号リソースに従ってＵＥに最適な参照信号を送信するように構成される、基地局が提供される。
【００４１】
第５の態様の第１の可能な実装方式では、送信ユニットが、時間単位セット内のＮ個の時間単位においてＵＥにＭ個の参照信号のリソース設定情報を送信するようにさらに構成され、参照信号のリソース設定情報が、参照信号のポート情報、参照信号の番号情報、又は参照信号に対応するプリコーディング情報のうちの少なくとも１つを含む。
【００４２】
第５の態様の第２の可能な実装方式では、チャネル品質指示情報が、Ｍ個のチャネル品質測定結果、最適なチャネル品質測定結果、又は参照信号番号を含む。
【００４３】
第５の態様の第３の可能な実装方式では、時間単位セットが、基地局によりＵＥに上位層シグナリング又は制御チャネルを用いて通知される。
【００４４】
第５の態様の第４の可能な実装方式では、参照信号が、セル固有参照信号又はユーザ固有参照信号を含む。
【００４５】
第５の態様の第１の可能な実装方式に関連して、第５の態様の第５の可能な実装方式では、参照信号がセル固有参照信号である場合、基地局が、ブロードキャストチャネルを用いて参照信号のリソース設定情報を指示する。
【００４６】
第５の態様又は第５の態様の第１から第５の可能な実装方式のいずれか１つに関連して、第５の態様の第６の可能な実装方式では、時間単位セットが、基地局によりＵＥに周期的又は非周期的に通知される。
【００４７】
第５の態様の第７の可能な実装方式では、最適な参照信号リソースに従ってＵＥに最適な参照信号を送信する場合に、送信ユニットが、具体的には、
時間単位セットの後であって次の時間単位セットが設定される前である各時間単位において、最適な参照信号リソースに従ってＵＥに最適な参照信号を送信するように構成される。
【００４８】
第６の態様によれば、
時間単位セット内のＮ個の時間単位において基地局により送信されたＭ個の参照信号を受信するように構成される受信ユニットであって、Ｍ個の参照信号の中の各参照信号が１つのプリコーディング行列情報に対応する、受信ユニットと、
受信ユニットにより受信されたＭ個の参照信号に基づいて基地局にチャネル品質指示情報を報告して、基地局がチャネル品質指示情報に従ってＵＥに対する最適な参照信号リソースを選択するように構成される選択ユニットとを含み、
受信ユニットが、基地局により最適な参照信号リソースに従って送信された最適な参照信号を受信するようにさらに構成される、ユーザ機器が提供される。
【００４９】
第６の態様の第１の可能な実装方式では、受信ユニットが、時間単位セット内のＮ個の時間単位において基地局により送信されたＭ個の参照信号のリソース設定情報を受信するようにさらに構成され、参照信号のリソース設定情報が、参照信号のポート情報、参照信号の番号情報、又は参照信号に対応するプリコーディング情報のうちの少なくとも１つを含む。
【００５０】
第６の態様の第２の可能な実装方式では、チャネル品質指示情報が、Ｍ個のチャネル品質測定結果、最適なチャネル品質測定結果、又は参照信号番号を含む。
【００５１】
第６の態様の第３の可能な実装方式では、時間単位セットが、基地局によりＵＥに上位層シグナリング又は制御チャネルを用いて通知される。
【００５２】
第６の態様の第４の可能な実装方式では、参照信号が、セル固有参照信号又はユーザ固有参照信号を含む。
【００５３】
第６の態様の第１の可能な実装方式に関連して、第６の態様の第５の可能な実装方式では、参照信号がセル固有参照信号である場合、ユーザ機器は、
ブロードキャストチャネルを検出して、参照信号のリソース設定情報を取得するように構成される検出ユニットをさらに含む。
【００５４】
第６の態様又は第６の態様の第１から第５の可能な実装方式のいずれか１つに関連して、第６の態様の第６の可能な実装方式では、時間単位セットが、基地局によりＵＥに周期的又は非周期的に通知される。
【００５５】
第６の態様の第７の可能な実装方式では、基地局により最適な参照信号リソースに従って送信された最適な参照信号を受信する場合に、受信ユニットが、具体的には、
時間単位セットの後であって次の時間単位セットが設定される前である各時間単位において、基地局により最適な参照信号リソースに従って送信された最適な参照信号を受信するように構成される。
【００５６】
第７の態様によれば、
時間単位セット内のＮ個の時間単位においてユーザ機器ＵＥに対してＭ個のチャネル品質測定処理を設定するように構成される設定ユニットであって、各チャネル品質測定処理が１つの参照信号設定情報に対応し、参照信号設定情報がＵＥによって、設定された参照信号に基づいてチャネル品質測定を実行するために使用され、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、設定ユニットを含む、基地局が提供される。
【００５７】
第７の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００５８】
第７の態様又は第７の態様の第１の可能な実装方式に関連して、第７の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００５９】
第７の態様の第２の可能な実装方式に関連して、第７の態様の第３の可能な実装方式では、基地局は、
Ｌ個のタイプのチャネル品質測定処理に対応するチャネル品質測定結果に従って最適なタイプのチャネル品質測定処理を選択するように構成される選択ユニットと、
そのタイプのチャネル品質測定処理に対応する参照信号設定情報に従ってＵＥに参照信号を送信するように構成される送信ユニットとをさらに含む。
【００６０】
第７の態様の第２の可能な実装方式又は第３の可能な実装方式に関連して、第７の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【００６１】
第７の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【００６２】
第７の態様の第６の可能な実装方式では、時間単位セットが、基地局によりＵＥに上位層シグナリング又は制御チャネルを用いて通知される。
【００６３】
第７の態様又は第７の態様の第１から第６の可能な実装方式のいずれか１つに関連して、第７の態様の第７の可能な実装方式では、時間単位セットが、基地局によりＵＥに周期的又は非周期的に通知される。
【００６４】
第８の態様によれば、
時間単位セット内のＮ個の時間単位において基地局により設定されたＭ個のチャネル品質測定処理を受信するように構成される受信ユニットであって、各チャネル品質測定処理が１つの参照信号設定情報に対応し、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信ユニットと、
受信ユニットにより受信されたＭ個の設定されたチャネル品質測定処理と、各チャネル品質測定処理に対応する参照信号とに基づいてチャネル品質測定を実行するように構成される測定ユニットとを含む、ユーザ機器が提供される。
【００６５】
第８の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００６６】
第８の態様又は第８の態様の第１の可能な実装方式に関連して、第８の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００６７】
第８の態様の第２の可能な実装方式に関連して、第８の態様の第３の可能な実装方式では、ユーザ機器は、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するように構成される報告ユニットをさらに含み、
受信ユニットが、選択された最適なタイプのチャネル品質測定処理に対応する参照信号設定情報に従って基地局により送信された参照信号を受信するようにさらに構成される。
【００６８】
第８の態様の第２の可能な実装方式又は第３の可能な実装方式に関連して、第８の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【００６９】
第８の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【００７０】
第８の態様の第６の可能な実装方式では、時間単位セットが、基地局によりＵＥに上位層シグナリング又は制御チャネルを用いて通知される。
【００７１】
第８の態様又は第８の態様の第１から第６の可能な実装方式のいずれか１つに関連して、第８の態様の第７の可能な実装方式では、時間単位セットが、基地局によりＵＥに周期的又は非周期的に通知される。
【００７２】
第９の態様によれば、
外部デバイスと通信するように構成される通信ユニットと、
時間単位セット内のＮ個の時間単位においてユーザ機器ＵＥにＭ個の参照信号を送信することであって、参照信号がＵＥによってチャネル品質測定を実行するために使用され、Ｍ個の参照信号の中の各参照信号が１つのプリコーディング行列情報に対応する、送信することと、
通信ユニットを用いて、ＵＥにより送信されたチャネル品質指示情報を受信することであって、チャネル品質指示情報がＵＥによってＭ個の参照信号に従って判定される、受信することと、
チャネル品質指示情報に従ってＵＥに対する最適な参照信号リソースを選択することと、
通信ユニットを用いて、最適な参照信号リソースに従ってＵＥに最適な参照信号を送信することとを行うように構成されるプロセッサとを含む、基地局が提供される。
【００７３】
第９の態様の第１の可能な実装方式では、プロセッサが、通信ユニットを用いて、時間単位セット内のＮ個の時間単位においてＵＥにＭ個の参照信号のリソース設定情報を送信することであって、参照信号のリソース設定情報が、参照信号のポート情報、参照信号の番号情報、又は参照信号に対応するプリコーディング情報のうちの少なくとも１つを含む、送信することを行うようにさらに構成される。
【００７４】
第９の態様の第２の可能な実装方式では、チャネル品質指示情報が、Ｍ個のチャネル品質測定結果、最適なチャネル品質測定結果、又は参照信号番号を含む。
【００７５】
第９の態様の第３の可能な実装方式では、時間単位セットが、基地局によりＵＥに上位層シグナリング又は制御チャネルを用いて通知される。
【００７６】
第９の態様の第４の可能な実装方式では、参照信号が、セル固有参照信号又はユーザ固有参照信号を含む。
【００７７】
第９の態様の第１の可能な実装方式に関連して、第９の態様の第５の可能な実装方式では、参照信号がセル固有参照信号である場合、
基地局が、ブロードキャストチャネルを用いて参照信号のリソース設定情報を指示する。
【００７８】
第９の態様又は第９の態様の第１から第５の可能な実装方式のいずれか１つに関連して、第９の態様の第６の可能な実装方式では、時間単位セットが、基地局によりＵＥに周期的又は非周期的に通知される。
【００７９】
第９の態様の第７の可能な実装方式では、通信ユニットを用いて、最適な参照信号リソースに従ってＵＥに最適な参照信号を送信する場合に、プロセッサが、具体的には、
通信ユニットを用いて、時間単位セットの後であって次の時間単位セットが設定される前である各時間単位において、最適な参照信号リソースに従ってＵＥに最適な参照信号を送信するように構成される。
【００８０】
第１０の態様によれば、
外部デバイスと通信するように構成される通信ユニットと、
通信ユニットを用いて、時間単位セット内のＮ個の時間単位において基地局により送信されたＭ個の参照信号を受信することであって、Ｍ個の参照信号の中の各参照信号が１つのプリコーディング行列情報に対応する、受信することと、
Ｍ個の参照信号に基づいて基地局にチャネル品質指示情報を報告して、基地局がチャネル品質指示情報に従ってＵＥに対する最適な参照信号リソースを選択するようにすることと、
通信ユニットを用いて、基地局により最適な参照信号リソースに従って送信された最適な参照信号を受信することとを行うように構成されるプロセッサとを含む、ユーザ機器が提供される。
【００８１】
第１０の態様の第１の可能な実装方式では、プロセッサが、通信ユニットを用いて、時間単位セット内のＮ個の時間単位において基地局により送信されたＭ個の参照信号のリソース設定情報を受信することであって、参照信号のリソース設定情報が、参照信号のポート情報、参照信号の番号情報、又は参照信号に対応するプリコーディング情報のうちの少なくとも１つを含む、受信することを行うようにさらに構成される。
【００８２】
第１０の態様の第２の可能な実装方式では、チャネル品質指示情報が、Ｍ個のチャネル品質測定結果、最適なチャネル品質測定結果、又は参照信号番号を含む。
【００８３】
第１０の態様の第３の可能な実装方式では、時間単位セットが、基地局によりＵＥに上位層シグナリング又は制御チャネルを用いて通知される。
【００８４】
第１０の態様の第４の可能な実装方式では、参照信号が、セル固有参照信号又はユーザ固有参照信号を含む。
【００８５】
第１０の態様の第１の可能な実装方式に関連して、第１０の態様の第５の可能な実装方式では、参照信号がセル固有参照信号である場合、
プロセッサが、ブロードキャストチャネルを検出して、参照信号のリソース設定情報を取得するようにさらに構成される。
【００８６】
第１０の態様又は第１０の態様の第１から第５の可能な実装方式のいずれか１つに関連して、第１０の態様の第６の可能な実装方式では、時間単位セットが、基地局によりＵＥに周期的又は非周期的に通知される。
【００８７】
第１０の態様の第７の可能な実装方式では、通信ユニットを用いて、基地局により最適な参照信号リソースに従って送信された最適な参照信号を受信する場合に、プロセッサが、具体的には、
時間単位セットの後であって次の時間単位セットが設定される前である各時間単位において、通信ユニットを用いて、基地局により最適な参照信号リソースに従って送信された最適な参照信号を受信するように構成される。
【００８８】
第１１の態様によれば、
外部デバイスと通信するように構成される通信ユニットと、
通信ユニットを用いて、時間単位セット内のＮ個の時間単位においてユーザ機器ＵＥに対してＭ個のチャネル品質測定処理を設定することであって、各チャネル品質測定処理が１つの参照信号設定情報に対応し、参照信号設定情報がＵＥによって、設定された参照信号に基づいてチャネル品質測定を実行するために使用され、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、設定することを行うように構成されるプロセッサとを含む、基地局が提供される。
【００８９】
第１１の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００９０】
第１１の態様又は第１１の態様の第１の可能な実装方式に関連して、第１１の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００９１】
第１１の態様の第２の可能な実装方式に関連して、第１１の態様の第３の可能な実装方式では、プロセッサが、Ｌ個のタイプのチャネル品質測定処理に対応するチャネル品質測定結果に従って最適なタイプのチャネル品質測定処理を選択し、通信ユニットを用いて、そのタイプのチャネル品質測定処理に対応する参照信号設定情報に従ってＵＥに参照信号を送信するようにさらに構成される。
【００９２】
第１１の態様の第２の可能な実装方式又は第３の可能な実装方式に関連して、第１１の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【００９３】
第１１の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【００９４】
第１１の態様の第６の可能な実装方式では、時間単位セットが、基地局によりＵＥに上位層シグナリング又は制御チャネルを用いて通知される。
【００９５】
第１１の態様又は第１１の態様の第１から第６の可能な実装方式のいずれか１つに関連して、第１１の態様の第７の可能な実装方式では、時間単位セットが、基地局によりＵＥに周期的又は非周期的に通知される。
【００９６】
第１２の態様によれば、
外部デバイスと通信するように構成される通信ユニットと、
通信ユニットを用いて、時間単位セット内のＮ個の時間単位において基地局により設定されたＭ個のチャネル品質測定処理を受信することであって、各チャネル品質測定処理が１つの参照信号設定情報に対応し、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信することと、
Ｍ個の設定されたチャネル品質測定処理と、各チャネル品質測定処理に対応する参照信号とに基づいてチャネル品質測定を実行することとを行うように構成されるプロセッサとを含む、ユーザ機器が提供される。
【００９７】
第１２の態様の第１の可能な実装方式では、Ｌ個のタイプのチャネル品質測定処理の中の各チャネル品質測定処理が、１つのプリコーディング行列情報に対応し、任意の２つのタイプのチャネル品質測定処理に対応するプリコーディング行列情報が異なる。
【００９８】
第１２の態様又は第１２の態様の第１の可能な実装方式に関連して、第１２の態様の第２の可能な実装方式では、Ｌ個のタイプのチャネル品質測定処理の中の各タイプのチャネル品質測定処理が、１つのチャネル品質測定結果に対応し、各タイプのチャネル品質測定処理に対応するチャネル品質測定結果が、ＵＥ又は基地局により、そのタイプに属するとともにＭ個のチャネル品質測定処理の中にある全てのチャネル品質測定処理におけるチャネル品質測定結果に基づいて取得される。
【００９９】
第１２の態様の第２の可能な実装方式に関連して、第１２の態様の第３の可能な実装方式では、プロセッサが、通信ユニットを用いて、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するようにすることと、通信ユニットを用いて、選択された最適なタイプのチャネル品質測定処理に対応する参照信号設定情報に従って基地局により送信された参照信号を受信することとを行うようにさらに設定される。
【０１００】
第１２の態様の第２の可能な実装方式又は第３の可能な実装方式に関連して、第１２の態様の第４の可能な実装方式では、チャネル品質測定結果が、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【０１０１】
第１２の態様の第５の可能な実装方式では、Ｍ個のチャネル品質測定処理の中の各チャネル品質測定処理が識別フィールドを含み、識別フィールドが、チャネル品質測定処理が属するタイプを示すために使用されるチャネル品質測定処理識別情報を含み、同一のタイプのチャネル品質測定処理における識別情報が同一である。
【０１０２】
第１２の態様の第６の可能な実装方式では、時間単位セットが、基地局によりＵＥに上位層シグナリング又は制御チャネルを用いて通知される。
【０１０３】
第１２の態様又は第１２の態様の第１から第６の可能な実装方式のいずれか１つに関連して、第１２の態様の第７の可能な実装方式では、時間単位セットが、基地局によりＵＥに周期的又は非周期的に通知される。
【０１０４】
本発明の実施形態で提供されるリソース設定方法、ユーザ機器、及び基地局によれば、基地局は、設定された時間単位セット内のＮ個の時間単位においてＵＥにＭ個の参照信号しか送信する必要がない。Ｍ個の参照信号を受信した後、ＵＥは、Ｍ個の異なる参照信号に基づいてＭ回チャネル品質測定を実行して、Ｍ個のチャネル品質測定結果を取得し、Ｍ個のチャネル品質測定結果に従って基地局にチャネル品質指示情報を送信する。基地局は、チャネル品質指示情報に従ってＵＥに対する最適な参照信号を選択し、最適な参照信号をＵＥに送信する。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、その結果基地局による不要な参照信号の設定が減少する。したがって、参照信号並びに対応する測定及びフィードバックのオーバーヘッドが減少し、リソースが節約される。
【０１０５】
本発明の実施形態における技術的解決方法をより明確に説明するために、下記は、実施形態又は従来技術を説明するために必要とされる添付図面を簡単に説明する。明らかに、下記の説明における添付図面は、本発明の一部の実施形態を示しているにすぎず、当業者であれば、創造的な努力なしにこれらの添付図面から他の図面をさらに導出するであろう。
【図面の簡単な説明】
【０１０６】
【図１】本発明の一実施形態によるリソース設定方法の概略的なフローチャートである。
【図２】本発明の一実施形態による他のリソース設定方法の概略的なフローチャートである。
【図３】本発明の一実施形態によるさらに他のリソース設定方法の概略的なフローチャートである。
【図４】本発明の一実施形態によるまたさらに他のリソース設定方法の概略的なフローチャートである。
【図５】本発明の一実施形態によるリソース設定方法の概略的なフローチャートである。
【図６】本発明の一実施形態による他のリソース設定方法の概略的なフローチャートである。
【図７】本発明の一実施形態によるさらに他のリソース設定方法の概略的なフローチャートである。
【図８】本発明の一実施形態によるまたさらに他のリソース設定方法の概略的なフローチャートである。
【図９】本発明の一実施形態による基地局の概略的な構造図である。
【図１０】本発明の一実施形態によるユーザ機器の概略的な構造図である。
【図１１】本発明の一実施形態による他の基地局の概略的な構造図である。
【図１２】本発明の一実施形態による他のユーザ機器の概略的な構造図である。
【図１３】本発明の一実施形態によるさらに他の基地局の概略的な構造図である。
【図１４】本発明の一実施形態によるさらに他のユーザ機器の概略的な構造図である。
【図１５】本発明の一実施形態によるまたさらに他の基地局の概略的な構造図である。
【図１６】本発明の一実施形態によるまたさらに他のユーザ機器の概略的な構造図である。
【発明を実施するための形態】
【０１０７】
下記は、本発明の実施形態における技術的解決方法を、本発明の実施形態における添付図面を参照して明確に説明する。明らかに、説明される実施形態は、本発明の実施形態の一部にすぎず、全てではない。本発明の実施形態に基づいて当業者により創造的な努力なしで取得される他の全ての実施形態は、本発明の保護範囲に入るものとする。
【０１０８】
本発明の一実施形態はリソース設定方法を提供し、この方法は基地局により実施されることができる。図１に示されるように、方法は具体的には下記のステップを含む。
【０１０９】
１０１．基地局は、時間単位セット内のＮ個の時間単位においてＵＥにＭ個の参照信号を送信する。
【０１１０】
参照信号は、ＵＥによりチャネル品質測定及び報告を実行するために使用される。具体的には、Ｍ個の参照信号の中の各参照信号は、１つのプリコーディング行列情報に対応し、各参照信号内のプリコーディング行列情報は、参照信号に対応する参照信号ビーム情報とすることができる。加えて、各参照信号は、異なるビームに基づく１つの参照信号、すなわち、異なるビームに対応する重み係数に関連付けられた参照信号に対応する。具体的には、参照信号は、セル固有参照信号（たとえば、セル固有参照信号（Ｃｅｌｌ−ｓｐｅｃｉｆｉｃ  Ｒｅｆｅｒｅｎｃｅ  Ｓｉｇｎａｌ，略してＣＲＳ）リソース）、又はユーザ固有参照信号（チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，略してＣＳＩ−ＲＳ）リソース）を含む。これは本発明では限定されない。
【０１１１】
たとえば、時間単位セットは、基地局によりＵＥに対して設定される制限測定サブフレームセットとすることができる。基地局は、制限測定サブフレームセット内のＮ個のサブフレームにおいてＵＥにＭ個の参照信号を送信する。Ｎ個のサブフレームは、Ｎ個の連続したサブフレーム又はＮ個の不連続のサブフレームとすることができる。これは本明細書では限定されない。具体的には、基地局は、各サブフレームにおいてＵＥに少なくとも１つの参照信号を送信する。参照信号を受信した後、ＵＥは、参照信号に応じてサブフレームにおいて対応するチャネル品質測定及び報告を実行する。
【０１１２】
任意選択により、時間単位セットが、基地局によりＵＥに周期的又は非周期的に通知される。
【０１１３】
具体的には、基地局が、時間単位セット内にチャネル品質測定及び報告を実行するようにＵＥを設定する場合、基地局は、所定の期間に従って周期的に、時間単位セット内にチャネル品質測定及び報告を実行するようにＵＥを設定することができる。所定の期間とは、基地局によってＵＥが時間単位セット内にチャネル品質測定及び報告を実行するように設定される長い期間を指す。ＵＥは、所定の期間に従って時間単位セット内にチャネル品質測定及び報告を実行する。代替的には、基地局はＵＥに対してトリガシグナリングを設定することができ、ＵＥがトリガシグナリングの指示に従って時間単位セット内にチャネル品質測定及び報告を実行するようにする。
【０１１４】
任意選択により、時間単位セットが、基地局によりＵＥに制御チャネル又は上位層シグナリングを用いて通知される。
【０１１５】
たとえば、時間単位セットを、基地局によりＵＥに制御チャネルを用いて通知することができる。たとえば、基地局は、物理下りリンク制御チャネル（Ｐｈｙｓｉｃａｌ  Ｄｏｗｎｌｉｎｋ  Ｃｏｎｔｒｏｌ  Ｃｈａｎｎｅｌ，略してＰＤＣＣＨ）の下りリンク制御情報フォーマット（Ｄｏｗｎｌｉｎｋ  Ｃｏｎｔｒｏｌ  Ｉｎｆｏｒｍａｔｉｏｎ  Ｆｏｒｍａｔ，略してＤＣＩ  ｆｏｒｍａｔ）にトリガシグナリングを追加することができ、ＤＣＩ  ｆｏｒｍａｔをＵＥに送信して、ＵＥがトリガシグナリング内のトリガ識別子に従って、基地局により設定された時間単位セットを知るようにする。代替的には、時間単位セットを、基地局によりＵＥに上位層シグナリングを用いて通知することができる。たとえば、基地局は、無線リソース制御（Ｒａｄｉｏ  Ｒｅｓｏｕｒｃｅ  Ｃｏｎｔｒｏｌ，略してＲＲＣ）シグナリングを用いてトリガシグナリングをＵＥに送信して、ＵＥがトリガシグナリング内のトリガ識別子に従って時間単位セットを知るようにする。
【０１１６】
任意選択により、ステップ１０１の前に、方法は下記のステップをさらに含む。
【０１１７】
１０１ａ．基地局は、時間単位セット内のＮ個の時間単位においてＵＥにＭ個の参照信号のリソース設定情報を送信する。
【０１１８】
参照信号のリソース設定情報とは、基地局によりＭ個の設定された参照信号ポート上で参照信号を送信するために必要とされる必要情報を指す。具体的には、参照信号のリソース設定情報は、参照信号のポート情報、参照信号の番号情報、又は参照信号に対応するプリコーディング情報のうちの少なくとも１つを含む。ＵＥは、参照信号のリソース設定情報のみに従って、基地局により送信されたＭ個の参照信号を受信することができる。
【０１１９】
さらに、任意選択により、参照信号がセル固有参照信号である場合、ＵＥが異なる参照信号設定タイプ（すなわち、異なるビームに対応する異なる参照信号設定情報）を区別できるようにするために、基地局は、ブロードキャストチャネルを用いて参照信号のリソース設定情報を指示することができる。
【０１２０】
たとえば、セル固有参照信号に対応する参照信号がＣＲＳである場合、ＵＥが異なるＣＲＳ設定情報を区別できるようにするためには、基地局は、時間単位セット内の対応する時間単位におけるブロードキャストチャネルに、ＣＲＳ指示識別子を含むＣＲＳ設定フィールドを追加して、ＣＲＳの設定情報を指示する必要があり、その結果ＵＥがブラインド検出を対応するブロードキャストチャネルに行って、時間単位におけるＣＲＳリソースに対応するＣＲＳ設定情報を得ることができる。ブロードキャストチャネルは、ＰＢＣＨチャネルを含む。
【０１２１】
測定参照信号がユーザ固有参照信号である場合、時間単位セット内のユーザ固有参照信号（たとえば、ＣＳＩ−ＲＳ）を送信するための時間単位において、基地局がその時間単位においてセル固有参照信号（たとえばＣＲＳ）を同時に送信する必要があることに留意されたい。測定参照信号がセル固有参照信号である場合、基地局は、時間単位セット内の各時間単位においてセル固有参照信号しか送信する必要がない。
【０１２２】
１０２．基地局は、ＵＥにより送信されたチャネル品質指示情報を受信する。
【０１２３】
チャネル品質指示情報は、ＵＥによってＭ個の参照信号に従って判定される。チャネル品質指示情報は、Ｍ個のチャネル品質測定結果、最適なチャネル品質測定結果、又は参照信号番号を含む。
【０１２４】
チャネル品質測定結果は、少なくとも１つの測定情報を含む。チャネル品質測定結果内の測定情報は、チャネル品質指標（Ｃｈａｎｎｅｌ  Ｑｕａｌｉｔｙ  Ｉｎｆｏｒｍａｔｉｏｎ，略してＣＱＩ）、プリコーディング行列指標（Ｐｒｅｃｏｄｉｎｇ  Ｍａｔｒｉｘ  Ｉｎｄｉｃａｔｏｒ，略してＰＭＩ）、ランク指標（Ｒａｎｋ  Ｉｎｄｉｃａｔｏｒ，略してＲＩ）、参照信号受信電力（Ｒｅｆｅｒｅｎｃｅ  Ｓｉｇｎａｌ  Ｒｅｃｅｉｖｅｄ  Ｐｏｗｅｒ，略してＲＳＲＰ）、参照信号受信品質（Ｒｅｆｅｒｅｎｃｅ  Ｓｉｇｎａｌ  Ｒｅｃｅｉｖｅｄ  Ｑｕａｌｉｔｙ，略してＲＳＲＱ）、又は参照信号強度指標（Ｒｅｆｅｒｅｎｃｅ  Ｓｉｇｎａｌ  Ｓｔｒｅｎｇｔｈ  Ｉｎｄｉｃａｔｏｒ，略してＲＳＳＩ）のうちの少なくとも１つを含む。たとえば、チャネル品質測定がＣＳＩ測定である場合、ＵＥは、Ｍ個の参照信号に従ってＭ回ＣＳＩ測定を行った後、Ｍ個のＣＳＩ測定結果を得る。
【０１２５】
１０３．基地局は、チャネル品質指示情報に従ってＵＥに対する最適な参照信号リソースを選択する。
【０１２６】
１０４．基地局は、最適な参照信号リソースに従ってＵＥに最適な参照信号を送信する。
【０１２７】
任意選択により、ステップ１０４は、具体的には下記のステップを含む。
【０１２８】
１０４ａ．基地局は、時間単位セットの後であって次の時間単位セットが設定される前である各時間単位において、最適な参照信号リソースに従ってＵＥに最適な参照信号を送信する。
【０１２９】
たとえば、Ｍ個のチャネル品質測定結果に従ってＵＥに対する最適な参照信号設定リソースを選択する場合、基地局は、Ｍ個のチャネル品質測定結果の中の任意の測定情報を直接選択することができるか、又は総合的な選択のために、チャネル品質測定結果の中の少なくとも２つの測定情報を選択することができる。たとえば、ＣＳＩ測定が一例として使用される。基地局がＣＳＩ測定結果におけるＣＱＩに従ってＵＥに対する最適な参照信号を選択する場合、基地局は、Ｍ個のＣＳＩ測定結果における最大ＣＱＩ値に対応する参照信号を最適な参照信号として直接使用し、最適な参照信号をＵＥに割り当てることができる。
【０１３０】
本発明のこの実施形態で提供されるリソース設定方法によれば、基地局は、設定された時間単位セット内のＮ個の時間単位においてＵＥにＭ個の参照信号しか送信する必要がない。Ｍ個の参照信号を受信した後、ＵＥは、Ｍ個の異なる参照信号に基づいてＭ回チャネル品質測定を実行して、Ｍ個のチャネル品質測定結果を取得し、Ｍ個のチャネル品質測定結果に従って基地局にチャネル品質指示情報を送信する。基地局は、チャネル品質指示情報に従ってＵＥに対する最適な参照信号を選択し、最適な参照信号をＵＥに送信する。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、その結果基地局による不要な参照信号の設定が減少する。したがって、参照信号並びに対応する測定及びフィードバックのオーバーヘッドが減少し、リソースが節約される。
【０１３１】
本発明の一実施形態は、チャネル品質測定方法を提供する。実施形態２における、実施形態１に関連する技術用語、概念などの説明については、実施形態１の説明を参照されたい。詳細はこの実施形態では再度説明されない。
【０１３２】
この実施形態はＵＥにより実施されることができる。具体的には、図２に示されるように、チャネル品質測定方法は具体的には下記のステップを含む。
【０１３３】
２０１．ＵＥは、時間単位セット内のＮ個の時間単位において基地局により送信されたＭ個の参照信号を受信する。
【０１３４】
具体的には、時間単位セットが、基地局によりＵＥに周期的又は非周期的に通知される。加えて、時間単位セットが、基地局によりＵＥに上位層シグナリング又は制御チャネルを用いて通知される。
【０１３５】
任意選択により、ステップ２０１の前に、方法は下記のステップをさらに含む。
【０１３６】
２０１ａ．ＵＥは、時間単位セット内のＮ個の時間単位において基地局により送信されたＭ個の参照信号のリソース設定情報を受信する。
【０１３７】
参照信号のリソース設定情報とは、基地局によりＭ個の設定された参照信号ポート上で参照信号を送信するために必要とされる必要情報を指す。具体的には、参照信号のリソース設定情報は、参照信号のポート情報、参照信号の番号情報、又は参照信号に対応するプリコーディング情報のうちの少なくとも１つを含む。ＵＥは、参照信号の設定情報のみに従って、基地局により送信されたＭ個の参照信号を受信することができる。
【０１３８】
任意選択により、参照信号がセル固有参照信号である場合、ステップ２０１の後に、方法は下記の内容をさらに含む。
【０１３９】
２０１ｂ．ＵＥは、ブロードキャストチャネルを検出して、参照信号のリソース設定情報を取得する。
【０１４０】
たとえば、セル固有参照信号に対応する参照信号がＣＲＳである場合、異なるＣＲＳ設定情報を区別できるためには、ＵＥは、各時間単位において基地局に対応するブロードキャストチャネルにブラインド検出を行って、各ブロードキャストチャネル内のＣＲＳ設定フィールドに含まれるＣＲＳ指示識別子を取得する必要があり、各時間単位においてＣＲＳ指示識別子の指示に従って、ＣＲＳに対応するＣＲＳ設定情報を取得する。ブロードキャストチャネルは、ＰＢＣＨチャネルを含む。
【０１４１】
２０２．ＵＥは、Ｍ個の参照信号に基づいて基地局にチャネル品質指示情報を報告して、基地局がチャネル品質指示情報に従ってＵＥに対する最適な参照信号リソースを選択するようにする。
【０１４２】
チャネル品質指示情報は、ＵＥによってＭ個の参照信号に従って判定される。チャネル品質指示情報は、Ｍ個のチャネル品質測定結果、最適なチャネル品質測定結果、又は参照信号番号を含む。
【０１４３】
２０３．ＵＥは、基地局により最適な参照信号リソースに従って送信された最適な参照信号を受信する。
【０１４４】
任意選択により、ステップ２０３は具体的には下記の内容を含む。
【０１４５】
２０３ａ．ＵＥは、時間単位セットの後であって次の時間単位セットが設定される前である各時間単位において、基地局により最適な参照信号リソースに従って送信された最適な参照信号を受信する。
【０１４６】
本発明のこの実施形態で提供されるチャネル品質測定方法によれば、ＵＥは、設定された時間単位セット内のＮ個の時間単位において基地局により送信されたＭ個の参照信号を受信し、Ｍ個の異なる参照信号に基づいてＭ回チャネル品質測定を実行してＭ個のチャネル品質測定結果を取得し、Ｍ個のチャネル品質測定結果に従ってチャネル品質指示情報を取得して、基地局がチャネル品質指示情報に従ってＵＥに対する最適な参照信号を選択し、最適な参照信号をＵＥに送信するようにする。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、設定された時間単位セット外の時間単位では、基地局はＵＥに対してＭ個の参照信号から選択される最適な参照信号のみを設定し、その結果基地局による不要な参照信号の設定が減少する。したがって、参照信号並びに対応する測定及びフィードバックのオーバーヘッドが減少し、リソースが節約される。
【０１４７】
下記は、特定のシナリオにおいて、本発明の一実施形態で提供されるリソース設定及びチャネル品質測定方法の一例を説明する。下記の実施形態における、前述の実施形態に関連する技術用語、概念などの説明については、前述の実施形態を参照されたい。
【０１４８】
たとえば、Ｎ＝６の場合（具体的な応用シナリオについては、背景技術で説明された３Ｄ  ＵＭｉシナリオを参照されたい）、仮想重み付けがドライブネットワークを用いて各列の垂直方向アンテナ素子に実行され、６つの異なるビームが取得される。６つのビームに基づいて、対応する仮想重み付け行列は、
【数４】
2019033496.tif 000006
として設計されることができる。行列の各列はポートの１つの垂直方向ビームに対応し、各ビームは１つの方向及び１つの幅に対応する。α１及びα２は複素数値重み係数であり、Ａ１は１２度を指すダウンチルトビームベクトルであり、Ａ２は−６度を指すダウンチルトビームベクトルである。具体的には、行列の第１列及び第２列は、最大値方向に１２度を指すワイドビームに対応する。行列の第３列及び第４列は、最大値方向に−６度を指すワイドビームに対応する。行列の第５列は、最大値方向に１２度を指すナロービームに対応する。行列の第６列は、最大値方向に−６度を指すナロービームに対応する。
【０１４９】
上記の内容に基づいて、この実施形態における参照信号がＣＲＳなどのセル固有参照信号又はＣＳＩ−ＲＳなどのユーザ固有参照信号である場合、図３に示されるように、本発明のこの実施形態で提供されるリソース設定及びチャネル品質測定方法は、具体的には下記のステップを含む。
【０１５０】
ａ１．基地局は、６つの異なるビームに従って制限測定サブフレームセット内の６つのサブフレームにおいてＵＥに６つの異なるＣＳＩ−ＲＳ又はＣＲＳを別々に送信する。
【０１５１】
ａ２．ＵＥは、６つのＣＲＳ又はＣＳＩ−ＲＳに基づいて制限測定サブフレームセットにおいて６回ＣＳＩ測定を行って、６つのＣＳＩ測定結果を取得する。
【０１５２】
ａ３．ＵＥは６つのＣＳＩ測定結果を基地局に報告し、基地局は６つのＣＳＩ結果に基づいてＵＥに対する最適な参照信号を選択するか、又はＵＥは６つのＣＳＩ測定結果の中の最適なＣＳＩ測定結果を基地局に報告し、基地局は最適なＣＳＩ測定結果に基づいてＵＥに対する最適な参照信号を選択するか、又はＵＥは６つのＣＳＩ測定結果の中の最適なＣＳＩ測定結果に対応するＣＲＳ若しくはＣＳＩ−ＲＳ番号を基地局に報告し、基地局は最適なＣＳＩ測定結果に対応するＣＲＳ若しくはＣＳＩ−ＲＳ番号に基づいてＵＥに対する最適な参照信号を選択する。
【０１５３】
ａ４．基地局は、最適なＣＲＳ又はＣＳＩ−ＲＳをＵＥに送信する。
【０１５４】
具体的には、基地局は、ステップａ３でＵＥによりフィードバックされた６つのＣＳＩ測定結果の中の各ＣＳＩ測定結果におけるＣＱＩ値を取得し、最大ＣＱＩ値を有するＣＳＩ測定結果に対応するＣＲＳ若しくはＣＳＩ−ＲＳ、最適なＣＲＳ若しくはＣＳＩ−ＲＳの測定結果、又は最適なＣＲＳ若しくはＣＳＩ−ＲＳの番号をＵＥに送信して、ＵＥが、制限測定サブフレームセットの後であって次の制限測定サブフレームセットが設定される前の各サブフレームにおいて、基地局により送信された最適なＣＲＳ又はＣＳＩ−ＲＳ設定を受信し、最適なＣＲＳ又はＣＳＩ−ＲＳ設定に従ってＣＳＩ測定及び報告を実行するようにする。
【０１５５】
任意選択により、ＵＥは、基地局に対して６つのＣＳＩ測定結果の中の各ＣＳＩ測定結果内のＣＱＩ値に従って、最大ＣＱＩ値を有するＣＳＩ測定結果、又は最大ＣＱＩ値を有するＣＳＩ測定結果に対応するＣＲＳ若しくはＣＳＩ−ＲＳ番号を報告することができる。基地局は、ステップａ３でＵＥによりフィードバックされた最適なＣＳＩ測定結果又は最適なＣＲＳ若しくはＣＳＩ−ＲＳの番号を取得し、これに従って最適なＣＲＳ又はＣＳＩ−ＲＳリソースをＵＥに送信して、ＵＥが、制限測定サブフレームセットの後であって次の制限測定サブフレームセットが設定される前の各サブフレーム内で、基地局により送信された最適なＣＲＳ又はＣＳＩ−ＲＳ設定を受信し、最適なＣＲＳ又はＣＳＩ−ＲＳ設定に従ってＣＳＩ測定及び報告を実行するようにする。
【０１５６】
本発明のこの実施形態で提供されるリソース設定及びチャネル品質測定方法によれば、ＵＥは、設定された制限測定サブフレームセット内の６つのサブフレームにおいて基地局により送信された６つのＣＲＳ又はＣＳＩ−ＲＳを受信し、６つの異なるＣＲＳ又はＣＳＩ−ＲＳに基づいてＮ回ＣＳＩ測定を実行して６つのＣＳＩ測定結果を取得する。基地局は、６つのＣＳＩ測定結果、ＵＥにより報告された最適なＣＳＩ測定結果、又は最適なＣＳＩ測定結果に対応するＣＲＳ若しくはＣＳＩ−ＲＳ番号に基づいて、ＵＥに対する最適なＣＲＳ又はＣＳＩ−ＲＳを選択し、最適なＣＲＳ又はＣＳＩ−ＲＳをＵＥに送信する。ＵＥに対して最良のＣＲＳ又はＣＳＩ−ＲＳを設定するためには、基地局が、ＵＥに対してドライブネットワークにおける全ての可能な組み合わせに対応するＣＲＳ又はＣＳＩ−ＲＳリソース設定情報を設定して、ＵＥに別々にチャネル品質測定及びフィードバックを実行させる必要がある従来技術と比較して、本発明で提供される解決方法では、６つの異なるＣＲＳ又はＣＳＩ−ＲＳが、設定された制限測定サブフレームセット内の６つのサブフレームにおいてＵＥに対して設定され、設定された制限測定サブフレームセット内のサブフレームにおいて、基地局はＵＥに対してＭ個の参照信号から選択される最適な参照信号のみを設定し、その結果基地局による不要なＣＲＳ又はＣＳＩ−ＲＳの設定が減少する。したがって、ＣＲＳ又はＣＳＩ−ＲＳ並びに対応する測定及びフィードバックのオーバーヘッドが減少し、リソースが節約される。
【０１５７】
本発明の一実施形態は、リソース設定方法を提供する。図４に示されるように、方法は、基地局により実施されることができ、具体的には下記のステップを含むことができる。
【０１５８】
３０１．基地局は、時間単位セット内のＮ個の時間単位においてＵＥに対してＭ個のチャネル品質測定処理を設定する。
【０１５９】
Ｍ個のチャネル品質測定処理の中の各チャネル品質測定処理は、１つの参照信号設定情報に対応する。参照信号設定情報は、ＵＥによって、設定された参照信号に基づいてチャネル品質測定を実行するために使用される。Ｍ個のチャネル品質測定処理はＬ個のタイプのチャネル品質測定処理を含み、各タイプのチャネル品質測定処理は最大でＮ個のチャネル品質測定処理を含み、Ｌ≦Ｍ≦Ｌ×Ｎである。
【０１６０】
たとえば、時間単位セットは、基地局によりＵＥに対して設定される制限測定サブフレームセットとすることができる。基地局は、制限測定サブフレームセット内のＮ個のサブフレームにおいてＵＥに対してＭ個のチャネル品質測定処理を設定する。Ｎ個のサブフレームは、Ｎ個の連続したサブフレーム又はＮ個の不連続のサブフレームとすることができる。具体的には、基地局は、各サブフレームにおいてＵＥに対して少なくとも１つのチャネル品質測定処理を設定する。
【０１６１】
具体的には、Ｌ個のタイプのチャネル品質測定処理の中の各チャネル品質測定処理は、１つのプリコーディング行列情報に対応し、任意の２つのタイプのチャネル品質測定処理に対応するプリコーディング行列情報は異なる。Ｌ個のタイプのチャネル品質測定処理の中の各チャネル品質測定処理に対応するプリコーディング行列は、そのチャネル品質測定処理に対応する参照信号ビーム情報とすることができる。加えて、各タイプのチャネル品質測定処理に対応する参照信号が基づくビームは互いに異なり、すなわち、各タイプのチャネル品質測定処理に対応する参照信号は、異なるビームに対応する重み係数に関連付けられる。具体的には、参照信号は、セル固有参照信号（たとえば、セル固有参照信号（Ｃｅｌｌ−ｓｐｅｃｉｆｉｃ  Ｒｅｆｅｒｅｎｃｅ  Ｓｉｇｎａｌ，略してＣＲＳ）リソース）、又はユーザ固有参照信号（チャネル状態情報参照信号（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ，略してＣＳＩ−ＲＳ）リソース）を含む。これは本発明では限定されない。
【０１６２】
任意選択により、時間単位セットが、基地局によりＵＥに周期的又は非周期的に通知される。
【０１６３】
具体的には、基地局が、時間単位セット内にチャネル品質測定及び報告を実行するようにＵＥを設定する場合、基地局は、所定の期間に従って周期的に、時間単位セット内にＭ個のチャネル品質測定処理のチャネル品質測定及び報告を実行するようにＵＥを設定することができる。所定の期間とは、基地局によってＵＥが時間単位セット内にチャネル品質測定及び報告を実行するように設定される長い期間を指す。ＵＥは、所定の期間に従って時間単位セット内にチャネル品質測定及び報告を実行する。代替的には、基地局はＵＥに対して非周期的なトリガシグナリングを設定することができ、ＵＥがトリガシグナリングの指示に従って時間単位セット内にチャネル品質測定及び報告を実行するようにする。
【０１６４】
任意選択により、時間単位セットが、基地局によりＵＥに制御チャネル又は上位層シグナリングを用いて通知される。
【０１６５】
たとえば、時間単位セットを、基地局によりＵＥに制御チャネルを用いて通知することができる。たとえば、基地局は、ＰＤＣＣＨのＤＣＩ  ｆｏｒｍａｔにトリガシグナリングを追加することができ、ＤＣＩ  ｆｏｒｍａｔをＵＥに送信して、ＵＥがトリガシグナリング内のトリガ識別子に従って、基地局により設定された時間単位セットを知るようにする。代替的には、時間単位セットを、基地局によりＵＥに上位層シグナリングを用いて通知することができる。たとえば、基地局は、ＲＲＣシグナリングを用いてトリガシグナリングをＵＥに送信して、ＵＥがトリガシグナリング内のトリガ識別子に従って時間単位セットを知るようにする。
【０１６６】
任意選択により、Ｍ個のチャネル品質測定処理の中の各チャネル品質測定処理は、識別フィールドを含む。識別フィールドは、チャネル品質測定処理識別情報を含む。チャネル品質測定処理識別情報は、チャネル品質測定処理が属するタイプを基地局又はＵＥに示すために使用される。同一のタイプのチャネル品質測定処理における識別情報は同一である。
【０１６７】
具体的には、あるタイプのチャネル品質測定処理に対応するチャネル品質測定処理の数が１より大きい場合、基地局は、そのタイプのチャネル品質測定処理に属するチャネル品質測定処理をＵＥにさらに通知し示す必要があり、したがって、そのタイプのチャネル品質測定処理の各チャネル品質測定処理に識別フィールドを追加して、チャネル品質測定処理が属するタイプをＵＥに示す必要がある。たとえば、チャネル品質測定処理がＣＳＩ処理である場合、基地局はドメインフィールド、たとえばチャネル状態情報処理クラス識別（ＣＳＩ−Ｐｒｏｃｅｓｓ−Ｃｌａｓｓ  Ｉｄｅｎｔｉｔｙ）フィールドを各ＣＳＩ処理に追加して、Ｌ個のタイプの中のＣＳＩ処理が属するタイプを示すことができる。
【０１６８】
任意選択により、Ｌ個のタイプのチャネル品質測定処理の中の各タイプのチャネル品質測定処理は、１つのチャネル品質測定結果に対応する。各タイプのチャネル品質測定処理に対応するチャネル品質測定結果は、ＵＥ又は基地局により、そのタイプに属するとともにＭ個のチャネル品質測定処理の中にある全てのチャネル品質測定処理におけるチャネル品質測定結果に基づいて取得される。
【０１６９】
チャネル品質測定結果は、ＣＱＩ、ＰＭＩ、ＲＩ、ＲＳＲＰ、ＲＳＲＱ、又はＲＳＳＩのうちの少なくとも１つを含む。具体的には、基地局又はＵＥは、各タイプのチャネル品質測定処理の全てのチャネル品質測定処理に対応するチャネル品質測定結果に関する統計値を別々に収集して、各タイプのチャネル品質測定処理に対応するチャネル品質測定結果を取得する。各タイプのチャネル品質測定処理は、１つのチャネル品質測定結果に対応する。
【０１７０】
本発明のこの実施形態で提供されるリソース設定方法によれば、基地局は、設定された時間単位セット内のＮ個の時間単位においてＵＥに対してＭ個のチャネル品質測定処理を設定する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理の設定及び対応するチャネル品質測定に基づいて、基地局はＵＥに対する最適なタイプのチャネル品質測定処理を選択し、最適な参照信号設定をさらに選択することができる。ＵＥに対して最良の参照信号を設定する場合、基地局は、時間単位セット外の各時間単位ではＵＥに対して最適なチャネル品質測定処理しか設定する必要がなく、その結果基地局は、参照信号、チャネル品質測定処理、並びに対応する測定及びフィードバックのオーバーヘッドを減少させ、リソースが節約される。
【０１７１】
任意選択により、図５に示されるように、ステップ３０１の後に、この実施形態で提供される方法は下記のステップをさらに含む。
【０１７２】
３０２．基地局は、Ｌ個のタイプのチャネル品質測定処理に対応するチャネル品質測定結果に従って最適なタイプのチャネル品質測定処理を選択する。
【０１７３】
３０３．基地局は、そのタイプのチャネル品質測定処理に対応する参照信号設定情報に従ってＵＥに参照信号を送信する。
【０１７４】
本発明のこの実施形態で提供されるさらなるリソース設定方法によれば、基地局は、設定された時間単位セット内のＮ個の時間単位においてＵＥに対してＭ個のチャネル品質測定処理を設定する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。基地局は、Ｌ個のタイプのチャネル品質測定処理の中の各タイプのチャネル品質測定処理に対応するチャネル品質測定結果から最適なタイプのチャネル品質測定処理を選択し、そのタイプのチャネル品質測定処理に対応する参照信号設定情報に従ってＵＥに参照信号を送信して、基地局による不要な参照信号の設定が減少する。加えて、基地局がＵＥに対して最良の参照信号を設定する場合、基地局は、時間単位セット外の各時間単位では選択された最適なタイプのチャネル品質測定処理をＵＥに対して設定することができ、その結果基地局は、参照信号、チャネル品質測定処理、並びに対応する測定及びフィードバックのオーバーヘッドを減少させ、リソースが節約される。
【０１７５】
本発明の一実施形態は、チャネル品質測定方法を提供する。実施形態５における、実施形態４に関連する技術用語、概念などの説明については、実施形態４の説明を参照されたい。詳細はこの実施形態では再度説明されない。
【０１７６】
この実施形態はＵＥにより実施されることができる。具体的には、図６に示されるように、チャネル品質測定方法は具体的には下記のステップを含む。
【０１７７】
４０１．ＵＥは、時間単位セット内のＮ個の時間単位において基地局により設定されたＭ個のチャネル品質測定処理を受信する。
【０１７８】
Ｍ個のチャネル品質測定処理の中の各チャネル品質測定処理は、１つの参照信号設定情報に対応する。参照信号設定情報は、ＵＥによって、設定された参照信号に基づいてチャネル品質測定を実行するために使用される。Ｍ個のチャネル品質測定処理はＬ個のタイプのチャネル品質測定処理を含み、各タイプのチャネル品質測定処理は最大でＮ個のチャネル品質測定処理を含み、Ｌ≦Ｍ≦Ｌ×Ｎである。
【０１７９】
具体的には、時間単位セットが、基地局によりＵＥに上位層シグナリング又は制御チャネルを用いて通知される。加えて、時間単位セットが、基地局によりＵＥに周期的又は非周期的に通知される。
【０１８０】
４０２．ＵＥは、Ｍ個の設定されたチャネル品質測定処理と、各チャネル品質測定処理に対応する参照信号とに基づいてチャネル品質測定を実行する。
【０１８１】
本発明のこの実施形態で提供されるチャネル品質測定方法によれば、ＵＥは、設定された時間単位セット内のＮ個の時間単位において基地局により設定されたＭ個のチャネル品質測定処理を受信し、Ｍ個の設定されたチャネル品質測定処理と、各チャネル品質測定処理に対応する参照信号とに基づいてチャネル品質測定を実行する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理についてのチャネル品質測定に基づいて、ＵＥは各タイプのチャネル品質測定処理に対応するチャネル品質測定結果を別々に報告することができ、その結果基地局はＵＥに対する最適なタイプのチャネル品質測定処理を選択し、最適な参照信号設定をさらに選択することができる。したがって、基地局がＵＥに対して最良の参照信号を設定する場合、基地局は、時間単位セット外の各時間単位ではＵＥに対して最適なタイプのチャネル品質測定処理を設定することができ、その結果ＵＥにより参照信号について実行される対応する測定及びフィードバックのオーバーヘッドが減少し、リソースが節約される。
【０１８２】
任意選択により、図７に示されるように、ステップ４０２の後に、方法は下記のステップをさらに含む。
【０１８３】
４０３．ＵＥは、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するようにする。
【０１８４】
４０４．ＵＥは、選択された最適なタイプのチャネル品質測定処理に対応する参照信号設定情報に従って基地局により送信された参照信号を受信する。
【０１８５】
本発明のこの実施形態で提供されるさらなるチャネル品質測定方法によれば、ＵＥは、設定された時間単位セット内のＮ個の時間単位において基地局により設定されたＭ個のチャネル品質測定処理を受信し、Ｍ個の設定されたチャネル品質測定処理と、各チャネル品質測定処理に対応する参照信号とに基づいてチャネル品質測定を実行する。次いで、ＵＥは、Ｌ個のタイプのチャネル品質測定処理に対応するチャネル品質測定結果を基地局に報告して、基地局がＬ個のタイプのチャネル品質測定処理に対応するチャネル品質測定結果に基づいて最適なタイプのチャネル品質測定処理を選択できるようにする。最後に、ＵＥは、選択された最適なタイプのチャネル品質測定処理に対応する参照信号設定情報に従って基地局により送信された参照信号しか受信する必要がない。したがって、ＵＥにより不要な参照信号について実行される測定及びフィードバックが減少する。加えて、ＵＥに対して最良の参照信号を設定する場合、基地局は、時間単位セット外の各時間単位では選択された最適なタイプのチャネル品質測定処理をＵＥに対して設定することができ、その結果ＵＥにより参照信号について実行される対応する測定及びフィードバックのオーバーヘッドが減少し、リソースが節約される。
【０１８６】
下記は、特定のシナリオにおいて、本発明の一実施形態で提供されるリソース設定及びチャネル品質測定方法の一例を説明する。下記の実施形態における、前述の実施形態に関連する技術用語、概念などの説明については、前述の実施形態を参照されたい。
【０１８７】
たとえば、Ｎ＝６の場合（具体的な応用シナリオについては、背景技術で説明された３ＤＵＭｉシナリオを参照されたい）、仮想重み付けがドライブネットワークを用いて各列の垂直方向アンテナ素子に実行され、６つの異なるビームに対応するアンテナポートが取得される。６つのビームに対応する仮想重み付け行列は、
【数５】
2019033496.tif 000007
として設計されることができる。行列の各列は単一のポートの１つの垂直方向ビームに対応し、各ビームは１つの方向及び１つの幅に対応する。α１及びα２は複素数値重み係数であり、Ａ１は１２度を指すダウンチルトビームベクトルであり、Ａ２は−６度を指すダウンチルトビームベクトルである。具体的には、行列の第１列及び第２列は、最大値方向に１２度を指すワイドビームに対応する。行列の第３列及び第４列は、最大値方向に−６度を指すワイドビームに対応する。行列の第５列は、最大値方向に１２度を指すナロービームに対応する。行列の第６列は、最大値方向に−６度を指すナロービームに対応する。
【０１８８】
上記の内容に基づいて、この実施形態におけるチャネル品質測定処理がＣＳＩ処理である場合、図８に示されるように、本発明のこの実施形態で提供されるリソース設定及びチャネル品質測定方法は、具体的には下記のステップを含む。
【０１８９】
ｂ１．基地局は、６つの異なるビームに従って制限測定サブフレームセット内の各サブフレームにおいてＵＥに対して４つのチャネル品質測定処理を設定する。
【０１９０】
具体的には、６つの異なるビームに基づいて、基地局は２４個のＣＳＩ処理を６タイプに分類し、各タイプは１つの垂直方向ビームに対応する。
【０１９１】
ｂ２．ＵＥは、制限測定サブフレームセット内の各サブフレームにおいて、基地局により設定された４つのＣＳＩ処理を受信する。
【０１９２】
ｂ３．ＵＥは、２４個の設定されたＣＳＩ処理と、各ＣＳＩ処理に対応する参照信号とに基づいてＣＳＩ測定を実行する。
【０１９３】
ｂ４．ＵＥ又は基地局は、２４個のＣＳＩ処理内の各タイプのＣＳＩ処理に対応するＣＳＩ測定結果に基づいて、６つのＣＳＩ処理タイプから、最適なビームに対応する最適なＣＳＩ処理タイプを選択する。
【０１９４】
たとえば、ステップｂ４に記載された処理がＵＥにより実行された場合、ステップｂ４は具体的には下記のステップを含む。
【０１９５】
（１）．ＵＥは、ドライブネットワーク内の６つの異なる垂直方向ビームに従って２４個のＣＳＩ処理を分類し、ここで各タイプのＣＳＩ処理は１つの垂直方向ビームに対応する。
【０１９６】
（２）．ＵＥは、引き続いて、各タイプのＣＳＩ処理の全てのＣＳＩ処理に対応するＣＳＩ測定結果を組み合わせて、各タイプのＣＳＩ処理についてのＣＳＩ測定結果を取得する。
【０１９７】
具体的には、その中のあるタイプのＣＳＩ処理が一例として使用され、そのタイプのＣＳＩ処理が４つのＣＳＩ処理を含む場合、ＵＥは、４つのＣＳＩ処理に対応する４つのＣＳＩ測定結果を取得し、次いで４つのＣＳＩ測定結果に対して優先的な組み合わせを実行して、そのタイプのＣＳＩ処理についてのＣＳＩ測定結果を取得する。
【０１９８】
具体的には、この実施形態におけるＣＳＩ処理に対応するＣＳＩ測定結果がＣＱＩ又はＲＩのうちの少なくとも一方を含む場合、ＵＥがそのタイプのＣＳＩ処理の４つのＣＳＩ測定結果に対して優先的な組み合わせを実行する処理は、下記の処理を用いて実施されることができる。ＵＥは、４つのＣＳＩ測定結果における同一のＲＩ値に基づく全てのＣＱＩ値を別々に平均して各ＲＩに対応するＣＱＩ平均値を取得し、次いで最大ＲＩに対応するＣＱＩ平均値を、そのタイプのＣＳＩ処理のＣＳＩ測定結果として使用する。代替的には、ＵＥは、４つのＣＳＩ測定結果における全てのＣＱＩ値から最大ＣＱＩ値４を別々に選択し、次いで、最大ＣＱＩ値４をそのタイプのＣＳＩ処理のＣＳＩ測定結果として使用する。
【０１９９】
（３）．ＵＥは、６タイプのＣＳＩ処理に対応する６つのＣＳＩ測定結果から、最適なビームに対応する最適なＣＳＩ処理タイプを選択する。
【０２００】
ｂ５．基地局は、最適なビームに対応する最適なＣＳＩ処理タイプに対応する参照信号設定情報に従ってＵＥに参照信号を送信する。
【０２０１】
本発明のこの実施形態で提供されるリソース設定及びチャネル品質測定方法によれば、基地局は、６つの異なるビームに従って制限測定サブフレームセット内の各サブフレームにおいてＵＥに対して４つのＣＳＩ処理を設定する。基地局により設定されたＣＳＩ処理を受信した後、ＵＥは対応するＣＳＩ測定及びフィードバックを実行する。次いで、ＵＥ又は基地局は、２４個の受信されたＣＳＩ処理の中の各ＣＳＩ処理に対応する列における垂直方向ビームのＣＳＩ測定結果に従って、６つのビームから最適なビームを選択する。最後に、基地局は、最適なビームのＣＳＩ処理に対応する参照信号設定情報に従ってＵＥに参照信号を送信する。したがって、基地局がＵＥに対して最良の参照信号を設定する場合、基地局は、制限測定サブフレームセット内の各サブフレームにおいてＵＥに対して選択された最適なＣＳＩ処理しか設定する必要がなく、その結果ＵＥにより参照信号について実行される対応する測定及びフィードバックのオーバーヘッドが減少し、リソースが節約される。
【０２０２】
本発明の一実施形態は基地局を提供する。図９に示されるように、基地局５は、送信ユニット５１、受信ユニット５２、及び選択ユニット５３を含む。
【０２０３】
送信ユニット５１は、時間単位セット内のＮ個の時間単位においてユーザ機器ＵＥにＭ個の参照信号を送信するように構成される。
【０２０４】
参照信号は、ＵＥによりチャネル品質測定を実行するために使用される。Ｍ個の参照信号の中の各参照信号は、１つのプリコーディング行列情報に対応する。
【０２０５】
受信ユニット５２は、ＵＥにより送信されたチャネル品質指示情報を受信するように構成される。チャネル品質指示情報は、ＵＥによってＭ個の参照信号に従って判定される。
【０２０６】
選択ユニット５３は、チャネル品質指示情報に従ってＵＥに対する最適な参照信号リソースを選択するように構成される。
【０２０７】
送信ユニット５１は、最適な参照信号リソースに従ってＵＥに最適な参照信号を送信するようにさらに構成される。
【０２０８】
任意選択により、送信ユニット５１は、時間単位セット内のＮ個の時間単位においてＵＥにＭ個の参照信号のリソース設定情報を送信するようにさらに構成される。
【０２０９】
参照信号のリソース設定情報は、参照信号のポート情報、参照信号の番号情報、又は参照信号に対応するプリコーディング情報のうちの少なくとも１つを含む。
【０２１０】
任意選択により、チャネル品質指示情報は、Ｍ個のチャネル品質測定結果、最適なチャネル品質測定結果、又は参照信号番号を含む。
【０２１１】
任意選択により、時間単位セットが、基地局によりＵＥに上位層シグナリング又は制御チャネルを用いて通知される。
【０２１２】
任意選択により、時間単位セットが、基地局によりＵＥに周期的又は非周期的に通知される。
【０２１３】
任意選択により、参照信号は、セル固有参照信号又はユーザ固有参照信号を含む。
【０２１４】
任意選択により、参照信号がセル固有参照信号である場合、基地局は、ブロードキャストチャネルを用いて参照信号のリソース設定情報を指示する。
【０２１５】
任意選択により、最適な参照信号リソースに従ってＵＥに最適な参照信号を送信する場合、送信ユニット５１は、具体的には、時間単位セットの後であって次の時間単位セットが設定される前である各時間単位において、最適な参照信号リソースに従ってＵＥに最適な参照信号を送信するように構成される。
【０２１６】
本発明のこの実施形態で提供される基地局によれば、基地局は、設定された時間単位セット内のＮ個の時間単位においてＵＥにＭ個の参照信号しか送信する必要がない。Ｍ個の参照信号を受信した後、ＵＥは、Ｍ個の異なる参照信号に基づいてＭ回チャネル品質測定を実行して、Ｍ個のチャネル品質測定結果を取得し、Ｍ個のチャネル品質測定結果に従って基地局にチャネル品質指示情報を送信する。基地局は、チャネル品質指示情報に従ってＵＥに対する最適な参照信号を選択し、最適な参照信号をＵＥに送信する。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、その結果基地局による不要な参照信号の設定が減少する。したがって、参照信号並びに対応する測定及びフィードバックのオーバーヘッドが減少し、リソースが節約される。
【０２１７】
本発明の一実施形態はユーザ機器を提供する。図１０に示されるように、ユーザ機器６は、受信ユニット６１及び報告ユニット６２を含む。
【０２１８】
受信ユニット６１は、時間単位セット内のＮ個の時間単位において基地局により送信されたＭ個の参照信号を受信するように構成される。Ｍ個の参照信号の中の各参照信号は、１つのプリコーディング行列情報に対応する。
【０２１９】
報告ユニット６２は、受信ユニットにより受信されたＭ個の参照信号に基づいて基地局にチャネル品質指示情報を報告して、基地局がチャネル品質指示情報に従ってＵＥに対する最適な参照信号リソースを選択するように構成される。
【０２２０】
受信ユニット６１は、基地局により最適な参照信号リソースに従って送信された最適な参照信号を受信するようにさらに構成される。
【０２２１】
任意選択により、受信ユニット６１は、時間単位セット内のＮ個の時間単位において基地局により送信されたＭ個の参照信号のリソース設定情報を受信するようにさらに構成される。
【０２２２】
参照信号のリソース設定情報は、参照信号のポート情報、参照信号の番号情報、又は参照信号に対応するプリコーディング情報を含む。
【０２２３】
任意選択により、チャネル品質指示情報は、Ｍ個のチャネル品質測定結果、最適なチャネル品質測定結果、又は参照信号番号を含む。
【０２２４】
任意選択により、時間単位セットが、基地局によりＵＥに上位層シグナリング又は制御チャネルを用いて通知される。
【０２２５】
任意選択により、参照信号は、セル固有参照信号又はユーザ固有参照信号を含む。
【０２２６】
任意選択により、図１０に示されるように、参照信号がセル固有参照信号である場合、ユーザ機器６は検出ユニット６３をさらに含む。
【０２２７】
検出ユニット６３は、ブロードキャストチャネルを検出して、参照信号のリソース設定情報を取得するように構成される。
【０２２８】
任意選択により、時間単位セットが、基地局によりＵＥに周期的又は非周期的に通知される。
【０２２９】
任意選択により、基地局により最適な参照信号リソースに従って送信された最適な参照信号を受信する場合、受信ユニット６１は、具体的には、時間単位セットの後であって次の時間単位セットが設定される前である各時間単位において、基地局により最適な参照信号リソースに従って送信された最適な参照信号を受信するように構成される。
【０２３０】
本発明のこの実施形態で提供されるユーザ機器によれば、ＵＥは、設定された時間単位セット内のＮ個の時間単位において基地局により送信されたＭ個の参照信号を受信し、Ｍ個の異なる参照信号に基づいてＭ回チャネル品質測定を実行してＭ個のチャネル品質測定結果を取得し、Ｍ個のチャネル品質測定結果に従ってチャネル品質指示情報を取得して、基地局がチャネル品質指示情報に従ってＵＥに対する最適な参照信号を選択し、最適な参照信号をＵＥに送信するようにする。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、設定された時間単位セット外の時間単位では、基地局はＵＥに対してＭ個の参照信号から選択される最適な参照信号のみを設定し、その結果基地局による不要な参照信号の設定が減少する。したがって、参照信号並びに対応する測定及びフィードバックのオーバーヘッドが減少し、リソースが節約される。
【０２３１】
本発明の一実施形態は基地局を提供する。図１１に示されるように、基地局７は設定ユニット７１を含む。
【０２３２】
設定ユニット７１は、時間単位セット内のＮ個の時間単位においてユーザ機器ＵＥに対してＭ個のチャネル品質測定処理を設定するように構成される。各チャネル品質測定処理は、１つの参照信号設定情報に対応する。参照信号設定情報は、ＵＥによって、設定された参照信号に基づいてチャネル品質測定を実行するために使用される。Ｍ個のチャネル品質測定処理はＬ個のタイプのチャネル品質測定処理を含み、各タイプのチャネル品質測定処理は最大でＮ個のチャネル品質測定処理を含み、Ｌ≦Ｍ≦Ｌ×Ｎである。
【０２３３】
任意選択により、Ｌ個のタイプのチャネル品質測定処理の中の各チャネル品質測定処理は、１つのプリコーディング行列情報に対応し、任意の２つのタイプのチャネル品質測定処理に対応するプリコーディング行列情報は異なる。
【０２３４】
任意選択により、Ｌ個のタイプのチャネル品質測定処理の中の各タイプのチャネル品質測定処理は、１つのチャネル品質測定結果に対応する。各タイプのチャネル品質測定処理に対応するチャネル品質測定結果は、ＵＥ又は基地局により、そのタイプに属するとともにＭ個のチャネル品質測定処理の中にある全てのチャネル品質測定処理におけるチャネル品質測定結果に基づいて取得される。
【０２３５】
任意選択により、図１１に示されるように、基地局７は選択ユニット７２及び送信ユニット７３をさらに含む。
【０２３６】
選択ユニット７２は、Ｌ個のタイプのチャネル品質測定処理に対応するチャネル品質測定結果に従って最適なタイプのチャネル品質測定処理を選択するように構成される。
【０２３７】
送信ユニット７３は、そのタイプのチャネル品質測定処理に対応する参照信号設定情報に従ってＵＥに参照信号を送信するように構成される。
【０２３８】
任意選択により、チャネル品質測定結果は、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【０２３９】
任意選択により、Ｍ個のチャネル品質測定処理の中の各チャネル品質測定処理は、識別フィールドを含む。識別フィールドは、チャネル品質測定処理が属するタイプを示すために使用されるチャネル品質測定処理識別情報を含む。同一のタイプのチャネル品質測定処理における識別情報は同一である。
【０２４０】
任意選択により、Ｍ個のチャネル品質測定処理が、基地局によりＵＥに上位層シグナリング又は制御チャネルを用いて通知される。
【０２４１】
任意選択により、Ｍ個のチャネル品質測定処理が、基地局によりＵＥに周期的又は非周期的に通知される。
【０２４２】
本発明のこの実施形態で提供される基地局によれば、基地局は、設定された時間単位セット内のＮ個の時間単位においてＵＥに対してＭ個のチャネル品質測定処理を設定する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理の設定及び対応するチャネル品質測定に基づいて、基地局はＵＥに対する最適なタイプのチャネル品質測定処理を選択し、最適な参照信号設定をさらに選択することができる。ＵＥに対して最良の参照信号を設定する場合、基地局は、時間単位セット外の各時間単位ではＵＥに対して最適なチャネル品質測定処理しか設定する必要がなく、その結果基地局は、参照信号、チャネル品質測定処理、並びに対応する測定及びフィードバックのオーバーヘッドを減少させ、リソースが節約される。
【０２４３】
本発明の一実施形態はユーザ機器８を提供する。図１２に示されるように、ユーザ機器８は、受信ユニット８１及び測定ユニット８２を含む。
【０２４４】
受信ユニット８１は、時間単位セット内のＮ個の時間単位において基地局により設定されたＭ個のチャネル品質測定処理を受信するように構成される。各チャネル品質測定処理は、１つの参照信号設定情報に対応する。Ｍ個のチャネル品質測定処理はＬ個のタイプのチャネル品質測定処理を含み、各タイプのチャネル品質測定処理は最大でＮ個のチャネル品質測定処理を含み、Ｌ≦Ｍ≦Ｌ×Ｎである。
【０２４５】
測定ユニット８２は、受信ユニット８１により受信されたＭ個の設定されたチャネル品質測定処理と、各チャネル品質測定処理に対応する参照信号とに基づいてチャネル品質測定を実行するように構成される。
【０２４６】
任意選択により、Ｌ個のタイプのチャネル品質測定処理の中の各チャネル品質測定処理は、１つのプリコーディング行列情報に対応し、任意の２つのタイプのチャネル品質測定処理に対応するプリコーディング行列情報は異なる。
【０２４７】
任意選択により、Ｌ個のタイプのチャネル品質測定処理の中の各タイプのチャネル品質測定処理は、１つのチャネル品質測定結果に対応する。各タイプのチャネル品質測定処理に対応するチャネル品質測定結果は、ＵＥ又は基地局により、そのタイプに属するとともにＭ個のチャネル品質測定処理の中にある全てのチャネル品質測定処理におけるチャネル品質測定結果に基づいて取得される。
【０２４８】
任意選択により、図１２に示されるように、ユーザ機器８は報告ユニット８３をさらに含む。
【０２４９】
報告ユニット８３は、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するように構成される。
【０２５０】
受信ユニット８１は、選択された最適なタイプのチャネル品質測定処理に対応する参照信号設定情報に従って基地局により送信された参照信号を受信するようにさらに構成される。
【０２５１】
任意選択により、チャネル品質測定結果は、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【０２５２】
任意選択により、Ｍ個のチャネル品質測定処理の中の各チャネル品質測定処理は、識別フィールドを含む。識別フィールドは、チャネル品質測定処理が属するタイプを示すために使用されるチャネル品質測定処理識別情報を含む。同一のタイプのチャネル品質測定処理における識別情報は同一である。
【０２５３】
任意選択により、Ｍ個のチャネル品質測定処理が、基地局によりＵＥに上位層シグナリング又は制御チャネルを用いて通知される。
【０２５４】
任意選択により、Ｍ個のチャネル品質測定処理が、基地局によりＵＥに周期的又は非周期的に通知される。
【０２５５】
本発明のこの実施形態で提供されるユーザ機器によれば、ＵＥは、設定された時間単位セット内のＮ個の時間単位において基地局により設定されたＭ個のチャネル品質測定処理を受信し、Ｍ個の設定されたチャネル品質測定処理と、各チャネル品質測定処理に対応する参照信号とに基づいてチャネル品質測定を実行する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理についてのチャネル品質測定に基づいて、ＵＥは各タイプのチャネル品質測定処理に対応するチャネル品質測定結果を別々に報告することができ、その結果基地局はＵＥに対する最適なタイプのチャネル品質測定処理を選択し、最適な参照信号設定をさらに選択することができる。したがって、基地局がＵＥに対して最良の参照信号を設定する場合、基地局は、時間単位セット外の各時間単位ではＵＥに対して最適なタイプのチャネル品質測定処理を設定することができ、その結果ＵＥにより参照信号について実行される対応する測定及びフィードバックのオーバーヘッドが減少し、リソースが節約される。
【０２５６】
本発明の一実施形態は基地局９を提供する。図１３に示されるように、基地局９は、通信ユニット９１及びプロセッサ９２を含む。
【０２５７】
通信ユニット９１は外部デバイスと通信するように構成される。
【０２５８】
プロセッサ９２は、
時間単位セット内のＮ個の時間単位においてユーザ機器ＵＥにＭ個の参照信号を送信することであって、参照信号がＵＥによってチャネル品質測定を実行するために使用され、Ｍ個の参照信号の中の各参照信号が１つのプリコーディング行列情報に対応する、送信することと、
通信ユニット９１を用いて、ＵＥにより送信されたチャネル品質指示情報を受信することであって、チャネル品質指示情報がＵＥによってＭ個の参照信号に従って判定される、受信することと、
チャネル品質指示情報に従ってＵＥに対する最適な参照信号リソースを選択することと、
通信ユニット９１を用いて、最適な参照信号リソースに従ってＵＥに最適な参照信号を送信することとを行うように構成される。
【０２５９】
任意選択により、プロセッサ９２は、通信ユニット９１を用いて時間単位セット内のＮ個の時間単位においてＵＥにＭ個の参照信号のリソース設定情報を送信するようにさらに構成される。参照信号のリソース設定情報は、参照信号のポート情報、参照信号の番号情報、又は参照信号に対応するプリコーディング情報のうちの少なくとも１つを含む。
【０２６０】
任意選択により、チャネル品質指示情報は、Ｍ個のチャネル品質測定結果、最適なチャネル品質測定結果、又は参照信号番号を含む。
【０２６１】
任意選択により、時間単位セットが、基地局によりＵＥに上位層シグナリング又は制御チャネルを用いて通知される。
【０２６２】
任意選択により、時間単位セットが、基地局によりＵＥに周期的又は非周期的に通知される。
【０２６３】
任意選択により、参照信号は、セル固有参照信号又はユーザ固有参照信号を含む。
【０２６４】
任意選択により、参照信号がセル固有参照信号である場合、基地局は、ブロードキャストチャネルを用いて参照信号のリソース設定情報を指示する。
【０２６５】
任意選択により、通信ユニット９１を用いて最適な参照信号リソースに従ってＵＥに最適な参照信号を送信する場合、プロセッサ９２は、具体的には、
通信ユニット９１を用いて、時間単位セットの後であって次の時間単位セットが設定される前である各時間単位において、最適な参照信号リソースに従ってＵＥに最適な参照信号を送信するように構成される。
【０２６６】
本発明のこの実施形態で提供される基地局によれば、基地局は、設定された時間単位セット内のＮ個の時間単位においてＵＥにＭ個の参照信号しか送信する必要がない。Ｍ個の参照信号を受信した後、ＵＥは、Ｍ個の異なる参照信号に基づいてＭ回チャネル品質測定を実行して、Ｍ個のチャネル品質測定結果を取得し、Ｍ個のチャネル品質測定結果に従って基地局にチャネル品質指示情報を送信する。基地局は、チャネル品質指示情報に従ってＵＥに対する最適な参照信号を選択し、最適な参照信号をＵＥに送信する。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、その結果基地局による不要な参照信号の設定が減少する。したがって、参照信号並びに対応する測定及びフィードバックのオーバーヘッドが減少し、リソースが節約される。
【０２６７】
本発明の一実施形態はユーザ機器ｓ１０を提供する。図１４に示されるように、ユーザ機器ｓ１０は、通信ユニットｓ１０１及びプロセッサｓ１０２を含む。
【０２６８】
通信ユニットｓ１０１は外部デバイスと通信するように構成される。
【０２６９】
プロセッサｓ１０２は、
通信ユニットｓ１０１を用いて、時間単位セット内のＮ個の時間単位において基地局により送信されたＭ個の参照信号を受信することであって、Ｍ個の参照信号の中の各参照信号が１つのプリコーディング行列情報に対応する、受信することと、
Ｍ個の参照信号に基づいて基地局にチャネル品質指示情報を報告して、基地局がチャネル品質指示情報に従ってＵＥに対する最適な参照信号リソースを選択するようにすることと、
通信ユニットｓ１０１を用いて、基地局により最適な参照信号リソースに従って送信された最適な参照信号を受信することとを行うように構成される。
【０２７０】
任意選択により、プロセッサｓ１０２は、通信ユニットｓ１０１を用いて、時間単位セット内のＮ個の時間単位において基地局により送信されたＭ個の参照信号のリソース設定情報を受信するようにさらに構成される。
【０２７１】
参照信号のリソース設定情報は、参照信号のポート情報、参照信号の番号情報、又は参照信号に対応するプリコーディング情報のうちの少なくとも１つを含む。
【０２７２】
任意選択により、チャネル品質指示情報は、Ｍ個のチャネル品質測定結果、最適なチャネル品質測定結果、又は参照信号番号を含む。
【０２７３】
任意選択により、時間単位セットが、基地局によりＵＥに上位層シグナリング又は制御チャネルを用いて通知される。
【０２７４】
任意選択により、時間単位セットが、基地局によりＵＥに周期的又は非周期的に通知される。
【０２７５】
任意選択により、参照信号は、セル固有参照信号又はユーザ固有参照信号を含む。
【０２７６】
任意選択により、参照信号がセル固有参照信号である場合、
プロセッサｓ１０２は、ブロードキャストチャネルを検出して、参照信号のリソース設定情報を取得するようにさらに構成される。
【０２７７】
任意選択により、通信ユニットｓ１０１を用いて、基地局により最適な参照信号リソースに従って送信された最適な参照信号を受信する場合に、プロセッサｓ１０２は、具体的には、
時間単位セットの後であって次の時間単位セットが設定される前である各時間単位において、通信ユニットｓ１０１を用いて、基地局により最適な参照信号リソースに従って送信された最適な参照信号を受信するように構成される。
【０２７８】
本発明のこの実施形態で提供されるユーザ機器によれば、ＵＥは、設定された時間単位セット内のＮ個の時間単位において基地局により送信されたＭ個の参照信号を受信し、Ｍ個の異なる参照信号に基づいてＭ回チャネル品質測定を実行してＭ個のチャネル品質測定結果を取得し、Ｍ個のチャネル品質測定結果に従ってチャネル品質指示情報を取得して、基地局がチャネル品質指示情報に従ってＵＥに対する最適な参照信号を選択し、最適な参照信号をＵＥに送信するようにする。ＵＥに対して最良の参照信号を設定するためには、基地局が、ＵＥに対して全ての可能な組み合わせに対応する参照信号を設定して、ＵＥに別々にチャネル品質測定及びフィードバックを実行させる必要がある従来技術と比較して、本発明で提供される解決方法では、Ｍ個の異なる参照信号が、設定された時間単位セット内のＮ個の時間単位においてＵＥに対して設定され、設定された時間単位セット外の時間単位では、基地局はＵＥに対してＭ個の参照信号から選択される最適な参照信号のみを設定し、その結果基地局による不要な参照信号の設定が減少する。したがって、参照信号並びに対応する測定及びフィードバックのオーバーヘッドが減少し、リソースが節約される。
【０２７９】
本発明の一実施形態は基地局１１を提供する。図１５に示されるように、基地局１１は、通信ユニット１１１及びプロセッサ１１２を含む。
【０２８０】
通信ユニット１１１は、外部デバイスと通信するように構成される。
【０２８１】
プロセッサ１１２は、
通信ユニット１１１を用いて、時間単位セット内のＮ個の時間単位においてユーザ機器ＵＥに対してＭ個のチャネル品質測定処理を設定することであって、各チャネル品質測定処理が１つの参照信号設定情報に対応し、参照信号設定情報がＵＥによって、設定された参照信号に基づいてチャネル品質測定を実行するために使用され、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、設定することを行うように構成される。
【０２８２】
任意選択により、Ｌ個のタイプのチャネル品質測定処理の中の各チャネル品質測定処理は、１つのプリコーディング行列情報に対応し、任意の２つのタイプのチャネル品質測定処理に対応するプリコーディング行列情報は異なる。
【０２８３】
任意選択により、Ｌ個のタイプのチャネル品質測定処理の中の各タイプのチャネル品質測定処理は、１つのチャネル品質測定結果に対応する。各タイプのチャネル品質測定処理に対応するチャネル品質測定結果は、ＵＥ又は基地局により、そのタイプに属するとともにＭ個のチャネル品質測定処理の中にある全てのチャネル品質測定処理におけるチャネル品質測定結果に基づいて取得される。
【０２８４】
任意選択により、プロセッサ１１２は、Ｌ個のタイプのチャネル品質測定処理に対応するチャネル品質測定結果に従って最適なタイプのチャネル品質測定処理を選択し、通信ユニット１１１を用いて、そのタイプのチャネル品質測定処理に対応する参照信号設定情報に従ってＵＥに参照信号を送信するようにさらに構成される。
【０２８５】
任意選択により、チャネル品質測定結果は、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【０２８６】
任意選択により、Ｍ個のチャネル品質測定処理の中の各チャネル品質測定処理は、識別フィールドを含む。識別フィールドは、チャネル品質測定処理が属するタイプを示すために使用されるチャネル品質測定処理識別情報を含む。同一のタイプのチャネル品質測定処理における識別情報は同一である。
【０２８７】
任意選択により、Ｍ個のチャネル品質測定処理が、基地局によりＵＥに上位層シグナリング又は制御チャネルを用いて通知される。
【０２８８】
任意選択により、Ｍ個のチャネル品質測定処理が、基地局によりＵＥに周期的又は非周期的に通知される。
【０２８９】
本発明のこの実施形態で提供される基地局によれば、基地局は、設定された時間単位セット内のＮ個の時間単位においてＵＥに対してＭ個のチャネル品質測定処理を設定する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理の設定及び対応するチャネル品質測定に基づいて、基地局はＵＥに対する最適なタイプのチャネル品質測定処理を選択し、最適な参照信号設定をさらに選択することができる。ＵＥに対して最良の参照信号を設定する場合、基地局は、時間単位セット外の各時間単位ではＵＥに対して最適なチャネル品質測定処理しか設定する必要がなく、その結果基地局は、参照信号、チャネル品質測定処理、並びに対応する測定及びフィードバックのオーバーヘッドを減少させ、リソースが節約される。
【０２９０】
本発明の一実施形態はユーザ機器１２を提供する。図１６に示されるように、ユーザ機器１２は、通信ユニット１２１及びプロセッサ１２２を含む。
【０２９１】
通信ユニット１２１は、外部デバイスと通信するように構成される。
【０２９２】
プロセッサ１２２は、
通信ユニット１２１を用いて、時間単位セット内のＮ個の時間単位において基地局により設定されたＭ個のチャネル品質測定処理を受信することであって、各チャネル品質測定処理が１つの参照信号設定情報に対応し、Ｍ個のチャネル品質測定処理がＬ個のタイプのチャネル品質測定処理を含み、各タイプのチャネル品質測定処理が最大でＮ個のチャネル品質測定処理を含み、Ｌ≦Ｍ≦Ｌ×Ｎである、受信することと、
Ｍ個の設定されたチャネル品質測定処理と、各チャネル品質測定処理に対応する参照信号とに基づいてチャネル品質測定を実行することとを行うように構成される。
【０２９３】
任意選択により、Ｌ個のタイプのチャネル品質測定処理の中の各チャネル品質測定処理は、１つのプリコーディング行列情報に対応し、任意の２つのタイプのチャネル品質測定処理に対応するプリコーディング行列情報は異なる。
【０２９４】
任意選択により、Ｌ個のタイプのチャネル品質測定処理の中の各タイプのチャネル品質測定処理は、１つのチャネル品質測定結果に対応する。各タイプのチャネル品質測定処理に対応するチャネル品質測定結果は、ＵＥ又は基地局により、そのタイプに属するとともにＭ個のチャネル品質測定処理の中にある全てのチャネル品質測定処理におけるチャネル品質測定結果に基づいて取得される。
【０２９５】
任意選択により、プロセッサ１２２は、通信ユニット１２１を用いて、Ｌ個のタイプのチャネル品質測定処理に対応するチャネル品質測定結果を基地局に報告して、基地局がＬ個のタイプのチャネル品質測定処理に対応するチャネル品質測定結果に従って最適なタイプのチャネル品質測定処理を選択するようにすることと、通信ユニット１２１を用いて、選択された最適なタイプのチャネル品質測定処理に対応する参照信号設定情報に従って基地局により送信された参照信号を受信することとを行うようにさらに構成される。
【０２９６】
任意選択により、チャネル品質測定結果は、チャネル品質指標ＣＱＩ、プリコーディング行列指標ＰＭＩ、ランク指標ＲＩ、参照信号受信電力ＲＳＲＰ、参照信号受信品質ＲＳＲＱ、又は参照信号強度指標ＲＳＳＩのうちの少なくとも１つを含む。
【０２９７】
任意選択により、Ｍ個のチャネル品質測定処理の中の各チャネル品質測定処理は、識別フィールドを含む。識別フィールドは、チャネル品質測定処理が属するタイプを示すために使用されるチャネル品質測定処理識別情報を含む。同一のタイプのチャネル品質測定処理における識別情報は同一である。
【０２９８】
任意選択により、Ｍ個のチャネル品質測定処理が、基地局によりＵＥに上位層シグナリング又は制御チャネルを用いて通知される。
【０２９９】
任意選択により、Ｍ個のチャネル品質測定処理が、基地局によりＵＥに周期的又は非周期的に通知される。
【０３００】
本発明のこの実施形態で提供されるユーザ機器によれば、ＵＥは、設定された時間単位セット内のＮ個の時間単位において基地局により設定されたＭ個のチャネル品質測定処理を受信し、Ｍ個の設定されたチャネル品質測定処理と、各チャネル品質測定処理に対応する参照信号とに基づいてチャネル品質測定を実行する。Ｍ個のチャネル品質測定処理の中の各チャネル品質測定処理は、１つの参照信号設定情報に対応し、Ｍ個のチャネル品質測定処理はＬ個のタイプのチャネル品質測定処理を含み、各タイプのチャネル品質測定処理は最大でＮ個のチャネル品質測定処理を含む。したがって、Ｌ個のタイプのチャネル品質測定処理についてのチャネル品質測定に基づいて、ＵＥは各タイプのチャネル品質測定処理に対応するチャネル品質測定結果を別々に報告することができ、その結果基地局はＵＥに対する最適なタイプのチャネル品質測定処理を選択し、最適な参照信号設定をさらに選択することができる。したがって、基地局がＵＥに対して最良の参照信号を設定する場合、基地局は、時間単位セット外の各時間単位ではＵＥに対して最適なタイプのチャネル品質測定処理を設定することができ、その結果ＵＥにより参照信号について実行される対応する測定及びフィードバックのオーバーヘッドが減少し、リソースが節約される。
【０３０１】
簡便かつ簡潔な説明のために、上記の機能モジュールの分割が例示のための一例として行われていることは当業者には明らかに理解されよう。実際の応用では、上記の機能を異なる機能モジュールに割り当て、要求に応じて実施することができ、すなわち、装置の内部構造は、上述の機能の全部又は一部を実施するために異なる機能モジュールに分割される。前述のシステム及びユニットの詳細な作業工程については、前述の方法の実施形態における対応する工程を参照されたいとともに、詳細は本明細書では再度説明されない。
【０３０２】
本出願で提供されるいくつかの実施形態では、開示されたシステム及び方法が他の方式で実装できることを理解されたい。たとえば、説明されたシステムの実施形態は一例にすぎない。たとえば、ユニット分割は論理的な機能分割にすぎず、実際の実装では他の分割とすることができる。たとえば、複数のユニット若しくはコンポーネントを組み合わせるか、又は他のシステムへ統合することができ、あるいは、いくつかの特徴を無視するか、又は実施しなくてもよい。加えて、提示若しくは議論された相互結合又は直接結合又は通信接続は、いくつかのインタフェースを介して実施されることができる。ユニット間の間接結合又は通信接続は、電子的、機械的、又は他の形態で実施されることができる。
【０３０３】
加えて、本出願の実施形態における機能ユニットは１つの処理ユニットに統合されることができるか、又はこれらのユニットのそれぞれは物理的に単独で存在することができるか、又は２つ以上のユニットが１つのユニットに統合される。統合されたユニットは、ハードウェアの形態で実施されることができるか、又はソフトウェア機能ユニットの形態で実施されることができる。
【０３０４】
前述の実施形態は、本出願の技術的解決方法を説明することが単に意図されており、本出願を限定することは意図されていない。本出願が前述の実施形態を参照して詳細に説明されているが、当業者が、本出願の実施形態の技術的解決方法の精神及び範囲から逸脱することなく、前述の実施形態において説明された技術的解決方法にさらに修正を行うことができるか、又はそれらのいくつかの技術的特徴に等価な置換を行うことができることを、当業者は理解するべきである。
【図１】
2019033496.tif 000008
【図２】
2019033496.tif 000009
【図３】
2019033496.tif 000010
【図４】
2019033496.tif 000011
【図５】
2019033496.tif 000012
【図６】
2019033496.tif 000013
【図７】
2019033496.tif 000014
【図８】
2019033496.tif 000015
【図９】
2019033496.tif 000016
【図１０】
2019033496.tif 000017
【図１１】
2019033496.tif 000018
【図１２】
2019033496.tif 000019
【図１３】
2019033496.tif 000020
【図１４】
2019033496.tif 000021
【図１５】
2019033496.tif 000022
【図１６】
2019033496.tif 000023
【手続補正書】
【提出日】平成30年10月19日(2018.10.19)
【手続補正１】
【補正対象書類名】特許請求の範囲
【補正対象項目名】全文
【補正方法】変更
【補正の内容】
【特許請求の範囲】
【請求項１】
基地局によって、無線リソース制御（ＲＲＣ）シグナリングをユーザ機器（ＵＥ）に送信するステップであって、前記ＲＲＣシグナリングが時間単位セットを指示する、送信するステップと、
前記基地局によって、前記時間単位セット内のＮ個の時間単位において前記ユーザ機器にＭ個の参照信号を送信するステップであって、前記参照信号が前記ＵＥによってチャネル品質測定を実行するために使用され、前記Ｍ個の参照信号の中の各参照信号が１つのプリコーディング行列情報に対応する、送信するステップと、
前記基地局によって、前記ＵＥにより送信されたチャネル品質指示情報を受信するステップであって、前記チャネル品質指示情報が前記ＵＥによって前記Ｍ個の参照信号に従って判定される、受信するステップと、
前記基地局によって、前記チャネル品質指示情報に従って前記ＵＥに対する参照信号リソースを選択するステップと、
前記基地局によって、前記参照信号リソースに従って前記ＵＥに参照信号を送信するステップとを備える、リソース設定方法。
【請求項２】
前記チャネル品質指示情報が参照信号番号を含む、請求項１に記載の方法。
【請求項３】
前記参照信号がユーザ固有参照信号を含む、請求項１又は２に記載の方法。
【請求項４】
ユーザ機器によって、基地局から無線リソース制御（ＲＲＣ）シグナリングを受信するステップであって、前記ＲＲＣシグナリングが時間単位セットを指示する、受信するステップと、
前記ユーザ機器によって、時間単位セット内のＮ個の時間単位において前記基地局により送信されたＭ個の参照信号を受信するステップであって、前記Ｍ個の参照信号の中の各参照信号が１つのプリコーディング行列情報に対応する、受信するステップと、
前記ユーザ機器によって、前記Ｍ個の参照信号に基づいて前記基地局にチャネル品質指示情報を報告するステップと、
前記ユーザ機器によって、参照信号リソースに従って前記基地局により送信された参照信号を受信するステップとを備える、チャネル品質測定方法。
【請求項５】
前記チャネル品質指示情報が参照信号番号を含む、請求項４に記載の方法。
【請求項６】
前記参照信号がユーザ固有参照信号を含む、請求項４又は５に記載の方法。
【請求項７】
無線リソース制御（ＲＲＣ）シグナリングをユーザ機器（ＵＥ）に送信するように構成される送信ユニットであって、前記ＲＲＣシグナリングが時間単位セットを指示し、前記送信ユニットが、時間単位セット内のＮ個の時間単位において前記ユーザ機器にＭ個の参照信号を送信するようにさらに構成され、前記参照信号が前記ＵＥによってチャネル品質測定を実行するために使用され、前記Ｍ個の参照信号の中の各参照信号が１つのプリコーディング行列情報に対応する、送信ユニットと、
前記ＵＥにより送信されたチャネル品質指示情報を受信するように構成される受信ユニットであって、前記チャネル品質指示情報が前記ＵＥによって前記Ｍ個の参照信号に従って判定される、受信ユニットと、
前記チャネル品質指示情報に従って前記ＵＥに対する参照信号リソースを選択するように構成される選択ユニットとを備え、
前記送信ユニットが、前記参照信号リソースに従って前記ＵＥに参照信号を送信するようにさらに構成される、基地局。
【請求項８】
前記チャネル品質指示情報が参照信号番号を含む、請求項７に記載の基地局。
【請求項９】
前記参照信号がユーザ固有参照信号を含む、請求項７又は８に記載の基地局。
【請求項１０】
時間単位セット内のＮ個の時間単位において基地局により送信されたＭ個の参照信号を受信するように構成される受信ユニットであって、前記Ｍ個の参照信号の中の各参照信号が１つのプリコーディング行列情報に対応する、受信ユニットと、
前記Ｍ個の参照信号に基づいて前記基地局にチャネル品質指示情報を報告するように構成される報告ユニットとを備え、
前記受信ユニットが、参照信号リソースに従って前記基地局により送信された参照信号を受信するようにさらに構成される、ユーザ機器。
【請求項１１】
前記チャネル品質指示情報が参照信号番号を含む、請求項１０に記載のユーザ機器。
【請求項１２】
前記参照信号がユーザ固有参照信号を含む、請求項１０又は１１に記載のユーザ機器。
【請求項１３】
コンピュータに請求項１乃至６のうちいずれか１項に記載の方法を実施させるプログラム。
【請求項１４】
コンピュータデバイスに請求項１乃至６のうちいずれか１項に記載の方法を実施させる命令を記録したコンピュータ読み取り可能記憶媒体。
【外国語明細書】
2019033496000001.pdf